(57)【要約】  応答信号（ＡＣＫ信号／ＮＡＣＫ信号）用の１つのチャネルを複数の移動局で共有して使用するＡＲＱにおいて、ＡＲＱの制御の破綻を防ぐことができる無線通信基地局装置。この装置において、ＣＲＣ部１１４は、上り回線データに対してＣＲＣを用いた誤り検出を行って、ＣＲＣ＝ＯＫの場合はＡＣＫ信号を、ＣＲＣ＝ＮＧの場合はＮＡＣＫ信号を応答信号として生成し、再送判定部１１５は、その応答信号が初回送信データに対するものか、再送データに対するものかを判定し、コンスタレーション制御部１１６は、再送判定部１１５での判定結果に従って、変調部１０５での変調処理に用いられるコンスタレーションパターンを制御し、変調部１０５は、コンスタレーション制御部１１６によって制御されるコンスタレーションパターン、すなわち、初回送信データに対する応答信号のコンスタレーションパターンを反転させたコンスタレーションパターンに従って再送データに対する応答信号を変調する。
2008093774.tif 000002
【特許請求の範囲】
【請求項１】
誤り検出を行って、初回送信データに対する第１の応答信号、および、再送データに対する第２の応答信号を生成する誤り検出手段と、
コンスタレーションにおいて、前記第１の応答信号の判定領域と同一の判定領域に前記第１の応答信号と異なる内容の前記第２の応答信号をマッピングする一方、前記第１の応答信号の判定領域と異なる判定領域に前記第１の応答信号と同一内容の前記第２の応答信号をマッピングして、前記第１の応答信号および前記第２の応答信号を変調する変調手段と、
を具備する無線通信基地局装置。
【請求項２】
前記変調手段は、前記第１の応答信号のコンスタレーションパターンと前記第２の応答信号のコンスタレーションパターンとを反転させて、前記第１の応答信号および前記第２の応答信号を変調する、
請求項１記載の無線通信基地局装置。
【請求項３】
前記誤り検出手段は、ＡＣＫ信号またはＮＡＣＫ信号を前記第１の応答信号および前記第２の応答信号として生成し、
前記変調手段は、前記コンスタレーションにおいて、前記初回送信データに対するＡＣＫ信号がマッピングされた位置に前記再送データに対するＮＡＣＫ信号をマッピングする、
請求項１記載の無線通信基地局装置。
【請求項４】
前記誤り検出手段は、ＡＣＫ信号またはＮＡＣＫ信号を前記第１の応答信号および前記第２の応答信号として生成し、
前記変調手段は、前記コンスタレーションにおいて、前記初回送信データに対するＮＡＣＫ信号がマッピングされた位置に前記再送データに対するＡＣＫ信号をマッピングする、
請求項１記載の無線通信基地局装置。
【請求項５】
初回送信データに対する第１の応答信号、および、再送データに対する第２の応答信号を受信する受信手段と、
前記第１の応答信号と前記第２の応答信号とを、コンスタレーションにおける判定領域を交換して復調する復調手段と、
を具備する無線通信移動局装置。
【請求項６】
ＡＲＱにおける応答信号のマッピング方法であって、
初回送信データに対する第１の応答信号と、再送データに対する第２の応答信号であって前記第１の応答信号と同一内容の前記第２の応答信号とを、コンスタレーションにおける判定領域を交換してマッピングする、
マッピング方法。
【発明の詳細な説明】
【技術分野】
【０００１】
本発明は、無線通信基地局装置、無線通信移動局装置およびＡＲＱにおける応答信号のマッピング方法に関する。
【背景技術】
【０００２】
従来、移動体通信では、上り回線で無線通信移動局装置（以下、単に移動局という）から無線通信基地局装置（以下、単に基地局という）へ伝送される上り回線データに対してＡＲＱ（Automatic Repeat Request）が適用され、上り回線データの誤り検出結果を示す応答信号が下り回線で移動局へフィードバックされる。上り回線データに対しＣＲＣ（Cyclic Redundancy Check）を行って、ＣＲＣ＝ＯＫ（誤り無し）であればＡＣＫ（Acknowledgment）信号が、ＣＲＣ＝ＮＧ（誤り有り）であればＮＡＣＫ（Negative Acknowledgment）信号が応答信号として移動局へフィードバックされる。【０００３】
最近、下り回線の通信リソースを効率よく使用するために、応答信号を下り回線で伝送するためのチャネルを１つに限定し、この１つのチャネルを複数の移動局で共有して使用するＡＲＱについて検討されている。また、このＡＲＱでは、基地局は上り回線データの受信後、所定時間経過後に応答信号を移動局へフィードバックし、移動局は、基地局からＮＡＣＫ信号がフィードバックされた場合には、ＮＡＣＫ信号受信後、所定時間経過後に上り回線データを基地局へ再送する。また、このＡＲＱでは、応答信号に、その応答信号がどの移動局宛てのものであるかを示す情報は付加されない（非特許文献１参照）。
【非特許文献１】3GPP RAN WG1 Meeting document, R1-070245, “Modifications of Uplink Synchronous HARQ scheme”, LG Electronics
【発明の開示】
【発明が解決しようとする課題】
【０００４】
最近検討されている上記ＡＲＱの具体的なシーケンス例を図１に示す。以下の説明では、基地局は上り回線データの受信後、１ＴＴＩ（Transmission Time Interval）経過後に応答信号を移動局へフィードバックし、移動局は、ＮＡＣＫ信号受信後、１ＴＴＩ経過後に上り回線データを基地局へ再送するものとする。【０００５】
まず、基地局は、時刻ｔ１で、上り回線のデータチャネルを移動局１に割り当てることを示す割当情報を送信する。【０００６】
この割当情報を受信した移動局１は、時刻ｔ３で上り回線データを初回送信する。【０００７】
移動局１からの上り回線データを受信した基地局は、この上り回線データに対しＣＲＣを行う。ＣＲＣ＝ＯＫ（誤り無し）の場合、基地局は、時刻ｔ５で、ＡＣＫ信号をフィードバックするとともに、上り回線のデータチャネルを移動局２に割り当てることを示す割当情報を送信する。【０００８】
移動局１は、時刻ｔ３で上り回線データを初回送信しているため、基地局から時刻ｔ５でフィードバックされたＡＣＫ信号を自局宛てのものであると判断して受信する。しかし、移動局１は、下り回線のこの時の回線品質が低いこと等の影響により、フィードバックされたＡＣＫ信号をＮＡＣＫ信号と誤って復調してしまったものとする。よって、移動局１は、時刻ｔ７で上り回線データを再送（１回目）する。【０００９】
一方、割当情報を受信した移動局２は、時刻ｔ７で上り回線データを初回送信する。【００１０】
このように移動局１がＡＣＫ信号をＮＡＣＫ信号と誤って復調してしまった場合、移動局１からの再送データと移動局２からの初回送信データとの間で衝突が発生し、その結果、基地局でのＣＲＣ結果は高い確率でＮＧ（誤り有り）となる。よって、基地局は、時刻ｔ９でＮＡＣＫ信号をフィードバックする。【００１１】
移動局１は、時刻ｔ７で上り回線データを再送しているため、基地局から時刻ｔ９でフィードバックされたＮＡＣＫ信号を自局宛てのＮＡＣＫ信号であると判断して受信する。よって、移動局１は、時刻ｔ１１で上り回線データを再送（２回目）する。【００１２】
一方、移動局２も、時刻ｔ７で上り回線データを初回送信しているため、基地局から時刻ｔ９でフィードバックされたＮＡＣＫ信号を自局宛てのＮＡＣＫ信号であると判断して受信する。よって、移動局２も、時刻ｔ１１で上り回線データを再送（１回目）する。【００１３】
すると、上記同様、移動局１からの再送データと移動局２からの再送データとの間で衝突が発生し、その結果、基地局でのＣＲＣ結果は高い確率でＮＧ（誤り有り）となる。よって、基地局は、時刻ｔ１３でＮＡＣＫ信号をフィードバックする。【００１４】
以降、双方の移動局からの上り回線データの送信、上り回線データ同士の衝突、ＣＲＣ＝ＮＧ（誤り有り）、ＮＡＣＫ信号のフィードバック、双方の移動局からの上り回線データの送信、という一連の処理が繰り返されてしまい、ＡＲＱの制御が正常に動作しなくなってしまう。【００１５】
このように、応答信号用の１つのチャネルを複数の移動局で共有して使用するＡＲＱでは、移動局が一旦ＡＣＫ信号をＮＡＣＫ信号と誤って受信してしまうと、ＡＲＱの制御が破綻してしまうという問題がある。【００１６】
本発明の目的は、応答信号用の１つのチャネルを複数の移動局で共有して使用するＡＲＱにおいて、ＡＲＱの制御の破綻を防ぐことができる基地局、移動局およびＡＲＱにおける応答信号のマッピング方法を提供することである。
【課題を解決するための手段】
【００１７】
本発明の基地局は、誤り検出を行って、初回送信データに対する第１の応答信号、および、再送データに対する第２の応答信号を生成する誤り検出手段と、コンスタレーションにおいて、前記第１の応答信号の判定領域と同一の判定領域に前記第１の応答信号と異なる内容の前記第２の応答信号をマッピングする一方、前記第１の応答信号の判定領域と異なる判定領域に前記第１の応答信号と同一内容の前記第２の応答信号をマッピングして、前記第１の応答信号および前記第２の応答信号を変調する変調手段と、を具備する構成を採る。【００１８】
また、本発明の移動局は、初回送信データに対する第１の応答信号、および、再送データに対する第２の応答信号を受信する受信手段と、前記第１の応答信号と前記第２の応答信号とを、コンスタレーションにおける判定領域を交換して復調する復調手段と、を具備する構成を採る。
【発明の効果】
【００１９】
本発明によれば、応答信号用の１つのチャネルを複数の移動局で共有して使用するＡＲＱにおいて、ＡＲＱの制御の破綻を防ぐことができる。
【図面の簡単な説明】
【００２０】
【図１】ＡＲＱのシーケンス例
【図２】実施の形態１に係る基地局の構成を示すブロック図
【図３】実施の形態１に係る移動局の構成を示すブロック図
【図４】実施の形態１に係るコンスタレーションパターンＡ
【図５】実施の形態１に係るコンスタレーションパターンＢ
【図６】実施の形態１に係るＡＲＱのシーケンス例
【図７】実施の形態１に係るコンスタレーションパターン例
【図８】実施の形態１に係るコンスタレーションパターン例
【図９】実施の形態１に係るコンスタレーションパターン例
【図１０】実施の形態１に係る送信電力制御例
【図１１】実施の形態２に係るＡＲＱのシーケンス例
【図１２】実施の形態２に係るコンスタレーションパターン割当例
【図１３】実施の形態２に係るコンスタレーションパターンＣ
【図１４】実施の形態２に係るコンスタレーションパターンＤ
【図１５】実施の形態２に係るコンスタレーションパターン割当例
【図１６】実施の形態３に係るコンスタレーションパターンＢ'
【図１７】実施の形態３に係るコンスタレーションパターンＢ''
【図１８】実施の形態４に係る基地局の構成を示すブロック図
【図１９】実施の形態４に係る移動局の構成を示すブロック図
【図２０】実施の形態４に係るＡＲＱのシーケンス例
【図２１】実施の形態４に係るコンスタレーションパターン
【図２２】実施の形態４に係るスクランブリング例
【図２３】実施の形態４に係るデスクランブリング例（移動局１）
【図２４】実施の形態４に係る判定例
【図２５】実施の形態４に係るデスクランブリング例（移動局２）
【図２６】実施の形態４に係るその他の判定例
【図２７】実施の形態４に係る再送回数に応じたスクランブリングコード例
【図２８】実施の形態４に係るＡＲＱのその他のシーケンス例（２移動局の場合）
【図２９】実施の形態４に係るＡＲＱのその他のシーケンス例（３移動局の場合）
【発明を実施するための最良の形態】
【００２１】
以下、本発明の実施の形態について、添付図面を参照して詳細に説明する。【００２２】
（実施の形態１）
本実施の形態に係る基地局１００の構成を図２に示し、本実施の形態に係る移動局２００の構成を図３に示す。【００２３】
なお、説明が煩雑になることを避けるために、図２では、本発明と密接に関連する上り回線データの受信、および、その上り回線データに対する応答信号の下り回線での送信に係わる構成部を示し、下り回線データの送信に係わる構成部の図示および説明を省略する。同様に、図３では、本発明と密接に関連する上り回線データの送信、および、その上り回線データに対する応答信号の下り回線での受信に係わる構成部を示し、下り回線データの受信に係わる構成部の図示および説明を省略する。【００２４】
図２に示す基地局１００において、割当情報生成部１０１は、上り回線のデータチャネルをどの移動局に割り当てるかを示す割当情報を生成し、符号化部１０２および再送判定部１１５に出力する。【００２５】
符号化部１０２は、割当情報を符号化して変調部１０３に出力する。【００２６】
変調部１０３は、符号化後の割当情報を変調して複数の割当情報シンボルを生成し、Ｓ／Ｐ部１０４に出力する。【００２７】
Ｓ／Ｐ部１０４は、変調部１０３から直列に入力される複数の割当情報シンボルを並列に変換してマッピング部１０６に出力する。【００２８】
変調部１０５は、コンスタレーション制御部１１６によって制御されるコンスタレーションパターンに従って、上り回線データに対する応答信号（ＡＣＫ信号またはＮＡＣＫ信号）に対して変調処理を行い、変調処理後の応答信号をマッピング部１０６に出力する。変調部１０５での変調処理の詳細については後述する。【００２９】
マッピング部１０６は、割当情報シンボルおよび応答信号を、ＯＦＤＭシンボルを構成する複数のサブキャリアのいずれかにマッピングしてＩＦＦＴ（Inverse Fast Fourier Transform）部１０７に出力する。【００３０】
ＩＦＦＴ部１０７は、複数のサブキャリアのいずれかにマッピングされた割当情報シンボルおよび応答信号に対してＩＦＦＴを行ってＯＦＤＭシンボルを生成し、ＣＰ（Cyclic Prefix）付加部１０８に出力する。【００３１】
ＣＰ付加部１０８は、ＯＦＤＭシンボルの後尾部分と同じ信号をＣＰとしてＯＦＤＭシンボルの先頭に付加する。【００３２】
無線送信部１０９は、ＣＰ付加後のＯＦＤＭシンボルに対しＤ／Ａ変換、増幅およびアップコンバート等の送信処理を行ってアンテナ１１０から移動局２００へ送信する。【００３３】
一方、無線受信部１１１は、移動局２００から送信された上り回線データをアンテナ１１０を介して受信し、この上り回線データに対しダウンコンバート、Ａ／Ｄ変換等の受信処理を行う。【００３４】
復調部１１２は、上り回線データを復調し、復調後の上り回線データを復号部１１３に出力する。【００３５】
復号部１１３は、復調後の上り回線データを復号し、復号後の上り回線データをＣＲＣ部１１４に出力する。【００３６】
ＣＲＣ部１１４は、復号後の上り回線データに対してＣＲＣを用いた誤り検出を行って、ＣＲＣ＝ＯＫ（誤り無し）の場合はＡＣＫ信号を、ＣＲＣ＝ＮＧ（誤り有り）の場合はＮＡＣＫ信号を応答信号として生成し、生成した応答信号を変調部１０５および再送判定部１１５に出力する。上り回線データは、初回送信データまたは再送データのいずれかであるため、ＣＲＣ部１１４は、初回送信データに対する応答信号、および、再送データに対する応答信号を生成することになる。また、ＣＲＣ部１１４は、ＣＲＣ＝ＯＫ（誤り無し）の場合、復号後の上り回線データを受信データとして出力する。【００３７】
再送判定部１１５は、割当情報生成部１０１から割当情報が入力される時刻とＣＲＣ部１１４から応答信号が入力される時刻との時間差に基づいて、その応答信号が初回送信データに対するものか、再送データに対するものかを判定する。上記図１に示すシーケンス例の場合、初回送信データに対する応答信号が生成される時刻は、割当情報が生成された時刻から３ＴＴＩ後である。そこで、再送判定部１１５は、例えば、割当情報が入力された時刻から４ＴＴＩ以内に入力された応答信号は初回送信データに対するものであると判定し、割当情報が入力された時刻から４ＴＴＩ経過後に入力された応答信号は再送データに対するものであると判定する。そして、再送判定部１１５は、判定結果をコンスタレーション制御部１１６に出力する。【００３８】
コンスタレーション制御部１１６は、再送判定部１１５での判定結果に従って、変調部１０５での変調処理に用いられるコンスタレーションパターンを制御する。コンスタレーション制御部１１６での制御の詳細については後述する。【００３９】
一方、図３に示す移動局２００において、無線受信部２０２は、基地局１００から送信されたＯＦＤＭシンボルをアンテナ２０１を介して受信し、このＯＦＤＭシンボルに対しダウンコンバート、Ａ／Ｄ変換等の受信処理を行う。【００４０】
ＣＰ除去部２０３は、受信処理後のＯＦＤＭシンボルからＣＰを除去する。【００４１】
ＦＦＴ（Fast Fourier Transform）部２０４は、ＣＰ除去後のＯＦＤＭシンボルに対してＦＦＴを行って割当情報シンボルおよび応答信号を得て、それらを分離部２０５に出力する。【００４２】
分離部２０５は、割当情報シンボルと応答信号とを分離して、割当情報シンボルをＰ／Ｓ部２０６に出力し、応答信号を復調部２０９に出力する。【００４３】
Ｐ／Ｓ部２０６は、分離部２０５から並列に入力される複数の割当情報シンボルを直列に変換して復調部２０７に出力する。【００４４】
復調部２０７は、割当情報シンボルを復調し、復調後の割当情報を復号部２０８に出力する。【００４５】
復号部２０８は、復調後の割当情報を復号し、復号後の割当情報を送信制御部２１０に出力する。【００４６】
復調部２０９は、コンスタレーション制御部２１３によって制御されるコンスタレーションパターンに従って、応答信号（ＡＣＫ信号またはＮＡＣＫ信号）に対して復調処理を行い、復調処理後の応答信号を再送制御部２１２に出力する。復調部２０９での復調処理の詳細については後述する。【００４７】
送信制御部２１０は、復号部２０８から入力された割当情報が上り回線のデータチャネルを自局に割り当てることを示す割当情報である場合に、送信データを符号化部２１１に出力する。【００４８】
符号化部２１１は、送信データを符号化して再送制御部２１２に出力する。【００４９】
再送制御部２１２は、初回送信時には、符号化後の送信データを保持するとともに変調部２１４に出力する。再送制御部２１２は、復調部２０９からＡＣＫ信号が入力されるまで送信データを保持する。また、再送制御部２１２は、復調部２０９からＮＡＣＫ信号が入力された場合、すなわち、再送時には、保持している送信データを変調部２１４に出力する。また、再送制御部２１２は、初回送信か再送かを示す信号をコンスタレーション制御部２１３に出力する。【００５０】
コンスタレーション制御部２１３は、再送制御部２１２から入力される信号に従って、復調部２０９での復調処理に用いられるコンスタレーションパターンを制御する。コンスタレーション制御部２１３での制御の詳細については後述する。【００５１】
変調部２１４は、再送制御部２１２から入力される符号化後の送信データを変調して無線送信部２１５に出力する。【００５２】
無線送信部２１５は、変調後の送信データに対しＤ／Ａ変換、増幅およびアップコンバート等の送信処理を行ってアンテナ２０１から基地局１００へ送信する。このようにして送信されるデータが上り回線データとなる。【００５３】
次いで、基地局１００のコンスタレーション制御部１１６での制御、変調部１０５での変調処理、および、移動局２００のコンスタレーション制御部２１３での制御、復調部２０９での復調処理について詳しく説明する。【００５４】
基地局１００のコンスタレーション制御部１１６は、応答信号が初回送信データに対するものである場合は、図４に示すコンスタレーションパターンＡを変調部１０５に設定する。この設定に従い、変調部１０５は、初回送信データに対する応答信号をコンスタレーションパターンＡに従ってマッピングして変調する。【００５５】
一方、応答信号が再送データに対するものである場合は、コンスタレーション制御部１１６は、図５に示すコンスタレーションパターンＢを変調部１０５に設定する。この設定に従い、変調部１０５は、再送データに対する応答信号をコンスタレーションパターンＢに従ってマッピングして変調する。【００５６】
ここで、コンスタレーションパターンＡ（図４）とコンスタレーションパターンＢ（図５）とを比較すると、ＡＣＫ信号のマッピング位置とＮＡＣＫ信号のマッピング位置とがＱ軸を基準にして互いに反転している。つまり、再送データに対する応答信号のコンスタレーションパターンＢは、初回送信データに対する応答信号のコンスタレーションパターンＡを反転させたものとなる。よって、変調部１０５は、初回送信データに対するＡＣＫ信号がマッピングされた位置に再送データに対するＮＡＣＫ信号をマッピングして変調する。また、変調部１０５は、初回送信データに対するＮＡＣＫ信号がマッピングされた位置に再送データに対するＡＣＫ信号をマッピングして変調する。つまり、変調部１０５は、初回送信データに対するＡＣＫ信号のマッピング位置と再送データに対するＡＣＫ信号のマッピング位置とを反転させるとともに、初回送信データに対するＮＡＣＫ信号のマッピング位置と再送データに対するＮＡＣＫ信号のマッピング位置とを反転させる。【００５７】
同様に、移動局２００のコンスタレーション制御部２１３は、初回送信時には、コンスタレーションパターンＡ（図４）を復調部２０９に設定する。よって、復調部２０９では、無線受信部２０２によって初回送信データに対する応答信号が受信される場合は、その応答信号をコンスタレーションパターンＡに従って復調する。【００５８】
一方、再送時には、コンスタレーション制御部２１３は、コンスタレーションパターンＢ（図５）を復調部２０９に設定する。よって、復調部２０９では、無線受信部２０２によって再送データに対する応答信号が受信される場合は、その応答信号をコンスタレーションパターンＢに従って復調する。【００５９】
このように、基地局１００では、変調部１０５が、コンスタレーションにおいて、初回送信データに対するＡＣＫ信号の判定領域Ｘ（図４）と同一の判定領域Ｘ（図５）に、再送データに対するＮＡＣＫ信号をマッピングする一方、初回送信データに対するＡＣＫ信号の判定領域Ｘ（図４）と異なる判定領域Ｙ（図５）に、再送データに対するＡＣＫ信号をマッピングする。また、基地局１００では、変調部１０５が、コンスタレーションにおいて、初回送信データに対するＮＡＣＫ信号の判定領域Ｙ（図４）と同一の判定領域Ｙ（図５）に、再送データに対するＡＣＫ信号をマッピングする一方、初回送信データに対するＮＡＣＫ信号の判定領域Ｙ（図４）と異なる判定領域Ｘ（図５）に、再送データに対するＮＡＣＫ信号をマッピングする。つまり、基地局１００では、初回送信データに対する応答信号と、再送データに対する応答信号であって、初回送信データに対する応答信号と同一内容の応答信号とを、コンスタレーションにおける判定領域を交換してマッピングする。このように、本実施の形態では、再送データに対するＮＡＣＫ信号の判定領域が初回送信データに対するＡＣＫ信号の判定領域と等しく、再送データに対するＡＣＫ信号の判定領域が初回送信データに対するＮＡＣＫ信号の判定領域と等しい。【００６０】
そして、移動局２００の復調部２０９では、基地局１００の変調部１０５で行われるマッピングに合わせ、初回送信データに対する応答信号のコンスタレーションパターンと再送データに対する応答信号のコンスタレーションパターンとを反転させることにより、初回送信データに対する応答信号と、再送データに対する応答信号とを、コンスタレーションにおける判定領域を交換して復調する。【００６１】
以下、本実施の形態に係る具体的なシーケンス例を図６に示す。以下の説明では、上記図１と同様、基地局は上り回線データの受信後、１ＴＴＩ経過後に応答信号を移動局へフィードバックし、移動局は、ＮＡＣＫ信号受信後、１ＴＴＩ経過後に上り回線データを基地局へ再送するものとする。また、図６に示す基地局は上記図２に示す構成を採り、図６に示す移動局１,移動局２は共に上記図３に示す構成を採る。【００６２】
まず基地局は、時刻ｔ１で、上り回線のデータチャネルを移動局１に割り当てることを示す割当情報を送信する。【００６３】
この割当情報を受信した移動局１は、時刻ｔ３で上り回線データを初回送信する。【００６４】
移動局１からの上り回線データを受信した基地局は、この上り回線データに対しＣＲＣを行う。ＣＲＣ＝ＯＫ（誤り無し）の場合、基地局は、時刻ｔ５で、ＡＣＫ信号をフィードバックするとともに、上り回線のデータチャネルを移動局２に割り当てることを示す割当情報を送信する。この際、基地局は、直近の割当情報の送信時刻ｔ１から４ＴＴＩ以内にＡＣＫ信号を送信するため、このＡＣＫ信号を初回送信データに対するものであるとしてコンスタレーションパターンＡ（図４）に従って変調する。【００６５】
移動局１は、時刻ｔ３で上り回線データを初回送信しているため、基地局から時刻ｔ５でフィードバックされたＡＣＫ信号を自局宛てのものであると判断して受信する。また、移動局１は、時刻ｔ３で上り回線データを初回送信しているため、このＡＣＫ信号を初回送信データに対するものであるとしてコンスタレーションパターンＡ（図４）に従って復調する。しかし、移動局１は、下り回線のこの時の回線品質が低いこと等の影響により、フィードバックされたＡＣＫ信号をＮＡＣＫ信号と誤って復調してしまったものとする。よって、移動局１は、時刻ｔ７で上り回線データを再送（１回目）する。【００６６】
一方、割当情報を受信した移動局２は、時刻ｔ７で上り回線データを初回送信する。【００６７】
よって、移動局１からの再送データと移動局２からの初回送信データとの間で衝突が発生し、その結果、基地局でのＣＲＣ結果は高い確率でＮＧ（誤り有り）となる。よって、基地局は、時刻ｔ９でＮＡＣＫ信号をフィードバックする。この際、基地局は、直近の割当情報の送信時刻ｔ５から４ＴＴＩ以内にＮＡＣＫ信号を送信するため、このＮＡＣＫ信号を初回送信データに対するものであるとしてコンスタレーションパターンＡ（図４）に従って変調する。【００６８】
移動局１は、時刻ｔ７で上り回線データを再送しているため、基地局から時刻ｔ９でフィードバックされたＮＡＣＫ信号を自局宛てのＮＡＣＫ信号であると判断して受信する。また、移動局１は、時刻ｔ７で上り回線データを再送しているため、このＮＡＣＫ信号を再送データに対するものであるとしてコンスタレーションパターンＢ（図５）に従って復調する。【００６９】
一方、移動局２は、時刻ｔ７で上り回線データを初回送信しているため、基地局から時刻ｔ９でフィードバックされたＮＡＣＫ信号を自局宛てのＮＡＣＫ信号であると判断して受信する。また、移動局２は、時刻ｔ７で上り回線データを初回送信しているため、このＮＡＣＫ信号をコンスタレーションパターンＡ（図４）に従って復調する。【００７０】
つまり、時刻ｔ９で基地局においてコンスタレーションパターンＡに従って変調されたＮＡＣＫ信号を、移動局１ではコンスタレーションパターンＢに従って復調し、移動局２ではコンスタレーションパターンＡに従って復調する。よって、時刻ｔ９で基地局からフィードバックされたＮＡＣＫ信号は、移動局１ではＡＣＫ信号と判定され、移動局２ではＮＡＣＫ信号と判定される。このように、初回送信データに対する応答信号と再送データに対する応答信号とをコンスタレーションにおける判定領域を交換して変調および復調することにより、同一内容の応答信号を移動局毎にその内容を異ならせて認識させることができる。【００７１】
移動局１は、時刻ｔ９で基地局からフィードバックされたＮＡＣＫ信号をＡＣＫ信号と認識するため、次回自局宛ての割当情報が送信されるまで上り回線データの送信を停止する。つまり、移動局１は、誤った再送を停止することができる。【００７２】
移動局２は、時刻ｔ９で基地局からフィードバックされたＮＡＣＫ信号をＮＡＣＫ信号と認識するため、時刻ｔ１１で上り回線データを再送（１回目）する。【００７３】
移動局２からの上り回線データを受信した基地局は、この上り回線データに対しＣＲＣを行う。ＣＲＣ＝ＯＫ（誤り無し）の場合、基地局は、時刻ｔ１３で、ＡＣＫ信号をフィードバックする。この際、基地局は、直近の割当情報の送信時刻ｔ５から４ＴＴＩ経過後にＡＣＫ信号を送信するため、このＡＣＫ信号を再送データに対するものであるとしてコンスタレーションパターンＢ（図５）に従って変調する。【００７４】
移動局２は、時刻ｔ１１で上り回線データを再送しているため、基地局から時刻ｔ１３でフィードバックされたＡＣＫ信号を自局宛てのものであると判断して受信する。また、移動局２は、時刻ｔ１１で上り回線データを再送しているため、このＡＣＫ信号を再送データに対するものであるとしてコンスタレーションパターンＢ（図５）に従って復調する。よって、移動局２は、時刻ｔ１３で基地局からフィードバックされたＡＣＫ信号をＡＣＫ信号と認識するため、次回自局宛ての割当情報が送信されるまで上り回線データの送信を停止する。【００７５】
このようにして本実施の形態では、応答信号用の１つのチャネルを複数の移動局で共有して使用するＡＲＱにおいて、移動局がＡＣＫ信号をＮＡＣＫ信号と誤って受信することがあったとしても、ＡＲＱの制御の破綻を防ぐことができる。【００７６】
なお、上記説明では、コンスタレーションパターンの制御をより簡単にするために、初回送信データに対する応答信号のコンスタレーションパターンを反転させて再送データに対する応答信号のコンスタレーションパターンとしたが（図４,図５）、例えば再送データに対する応答信号のコンスタレーションパターンを図７に示すものとしてもよい。つまり、初回送信データに対するＮＡＣＫ信号の判定領域が再送データに対するＡＣＫ信号の判定領域内に含まれてさえいれば如何なるコンスタレーションパターンを用いてもよい。【００７７】
また、複数種類のＮＡＣＫ信号を扱う必要がある場合には、初回送信データに対する応答信号のコンスタレーションパターンを図８に示すものとし、再送データに対する応答信号のコンスタレーションパターンを図９に示すものとしてもよい。【００７８】
また、本実施の形態では、移動局１がセルエッジに位置する場合でもコンスタレーションパターンＡで送信されるＮＡＣＫ信号を移動局１に確実に受信させてＡＣＫ信号と認識させるべく、コンスタレーションパターンＡにおける応答信号の送信電力を図１０に示すようにして、初回送信データに対するＮＡＣＫ信号の送信電力を増加させるのが好ましい。【００７９】
また、基地局１００（図２）は、上り回線データを合成する合成部を復調部１１２と復号部１１３との間に備えてもよい。この合成部は、再送判定部１１５での判定結果に従って、復調部１１２から初回送信データが入力される場合は、その初回送信データをそのまま復号部１１３に出力し、復調部１１２から再送データが入力される場合は、その再送データを初回送信データまたはそれまでの合成データと合成し、合成後のデータを再送データとして復号部１１３に出力する。また、この合成部は、割当情報生成部１０１から割当情報を入力され、割当情報が入力される時刻と復調部１１２から上り回線データが入力される時刻との時間差に基づいて、再送判定部１１５と同様にして、その上り回線データが初回送信データか再送データかを判定する。【００８０】
また、移動局２００（図３）における再送制御部２１２は、変調部２１４と無線送信部２１５との間に設けられてもよい。【００８１】
（実施の形態２）
本実施の形態では、移動局毎に異なるコンスタレーションパターンを割り当てる。例えば、各移動局に固有のコンスタレーションパターンとして、移動局１にコンスタレーションパターンＡ（図４）を割り当て、移動局２にコンスタレーションパターンＢ（図５）を割り当てる。【００８２】
以下、本実施の形態に係る具体的なシーケンス例を図１１に示す。以下の説明では、上記図１と同様、基地局は上り回線データの受信後、１ＴＴＩ経過後に応答信号を移動局へフィードバックし、移動局は、ＮＡＣＫ信号受信後、１ＴＴＩ経過後に上り回線データを基地局へ再送するものとする。【００８３】
まず基地局は、時刻ｔ１で、上り回線のデータチャネルおよびコンスタレーションパターンＡ（図４）を移動局１に割り当てることを示す割当情報を送信する。【００８４】
この割当情報を受信した移動局１は、時刻ｔ３で上り回線データを初回送信する。【００８５】
移動局１からの上り回線データを受信した基地局は、この上り回線データに対しＣＲＣを行う。ＣＲＣ＝ＯＫ（誤り無し）の場合、基地局は、時刻ｔ５で、ＡＣＫ信号をフィードバックするとともに、上り回線のデータチャネルおよびコンスタレーションパターンＢ（図５）を移動局２に割り当てることを示す割当情報を送信する。また、このＡＣＫ信号は移動局１宛てのものであるため、基地局は、このＡＣＫ信号をコンスタレーションパターンＡ（図４）に従って変調する。【００８６】
移動局１は、時刻ｔ３で上り回線データを初回送信しているため、基地局から時刻ｔ５でフィードバックされたＡＣＫ信号を自局宛てのものであると判断して受信する。また、移動局１は、コンスタレーションパターンＡを割り当てられているため、このＡＣＫ信号をコンスタレーションパターンＡ（図４）に従って復調する。しかし、移動局１は、下り回線のこの時の回線品質が低いこと等の影響により、フィードバックされたＡＣＫ信号をＮＡＣＫ信号と誤って復調してしまったものとする。よって、移動局１は、時刻ｔ７で上り回線データを再送（１回目）する。【００８７】
一方、割当情報を受信した移動局２は、時刻ｔ７で上り回線データを初回送信する。【００８８】
よって、移動局１からの再送データと移動局２からの初回送信データとの間で衝突が発生し、その結果、基地局でのＣＲＣ結果は高い確率でＮＧ（誤り有り）となる。よって、基地局は、時刻ｔ９でＮＡＣＫ信号をフィードバックする。このＮＡＣＫ信号は移動局２宛てのものであるため、基地局は、このＮＡＣＫ信号をコンスタレーションパターンＢ（図５）に従って変調する。【００８９】
移動局１は、時刻ｔ７で上り回線データを再送しているため、基地局から時刻ｔ９でフィードバックされたＮＡＣＫ信号を自局宛てのＮＡＣＫ信号であると判断して受信する。また、移動局１は、コンスタレーションパターンＡを割り当てられているため、このＮＡＣＫ信号をコンスタレーションパターンＡ（図４）に従って復調する。【００９０】
一方、移動局２は、時刻ｔ７で上り回線データを初回送信しているため、基地局から時刻ｔ９でフィードバックされたＮＡＣＫ信号を自局宛てのＮＡＣＫ信号であると判断して受信する。また、移動局２は、コンスタレーションパターンＢを割り当てられているため、このＮＡＣＫ信号をコンスタレーションパターンＢ（図５）に従って復調する。【００９１】
つまり、時刻ｔ９で基地局においてコンスタレーションパターンＢに従って変調されたＮＡＣＫ信号を、移動局１ではコンスタレーションパターンＡに従って復調し、移動局２ではコンスタレーションパターンＢに従って復調する。よって、時刻ｔ９で基地局からフィードバックされたＮＡＣＫ信号は、移動局１ではＡＣＫ信号と判定され、移動局２ではＮＡＣＫ信号と判定される。このように、各移動局に対しそれぞれ固有のコンスタレーションパターンを割り当てることにより、同一内容の応答信号を移動局毎にその内容を異ならせて認識させることができる。【００９２】
移動局１は、時刻ｔ９で基地局からフィードバックされたＮＡＣＫ信号をＡＣＫ信号と認識するため、次回自局宛ての割当情報が送信されるまで上り回線データの送信を停止する。つまり、移動局１は、誤った再送を停止することができる。【００９３】
移動局２は、時刻ｔ９で基地局からフィードバックされたＮＡＣＫ信号をＮＡＣＫ信号と認識するため、時刻ｔ１１で上り回線データを再送（１回目）する。【００９４】
移動局２からの上り回線データを受信した基地局は、この上り回線データに対しＣＲＣを行う。ＣＲＣ＝ＯＫ（誤り無し）の場合、基地局は、時刻ｔ１３で、ＡＣＫ信号をフィードバックする。このＡＣＫ信号は移動局２宛てのものであるため、基地局は、このＡＣＫ信号をコンスタレーションパターンＢ（図５）に従って変調する。【００９５】
移動局２は、時刻ｔ１１で上り回線データを再送しているため、基地局から時刻ｔ１３でフィードバックされたＡＣＫ信号を自局宛てのものであると判断して受信する。また、移動局２は、コンスタレーションパターンＢを割り当てられているため、このＡＣＫ信号をコンスタレーションパターンＢ（図５）に従って復調する。よって、移動局２は、時刻ｔ１３で基地局からフィードバックされたＡＣＫ信号をＡＣＫ信号と認識するため、次回自局宛ての割当情報が送信されるまで上り回線データの送信を停止する。【００９６】
このようにして本実施の形態では、応答信号用の１つのチャネルを複数の移動局で共有して使用するＡＲＱにおいて、移動局がＡＣＫ信号をＮＡＣＫ信号と誤って受信することがあったとしても、ＡＲＱの制御の破綻を防ぐことができる。【００９７】
なお、移動局の数が増加した場合、例えば、移動局１,２の他に移動局３,４が存在する場合には、図１２に示すように、移動局３に対して図１３に示すコンスタレーションパターンＣを割り当て、移動局４に対して図１４に示すコンスタレーションパターンＤを割り当てるとよい。【００９８】
また、図１５に示すように、上り回線データの送信回数に応じて移動局毎に応答信号のコンスタレーションパターンを変化させてもよい。【００９９】
また、応答信号を複製（レピティション）する場合には、同一の複数の応答信号に対してそれぞれ異なるコンスタレーションパターンを割り当ててもよい。このようなコンスタレーションパターンの割当は、同一の複数の応答信号に各移動局固有のスクランブリングコードを乗算することにより行うことができる。【０１００】
（実施の形態３）
実施の形態１では、コンスタレーションパターンＡ（図４）における判定軸およびコンスタレーションパターンＢ（図５）における判定軸の双方がＱ軸であった。これに対し、本実施の形態では、上記図５に示すコンスタレーションパターンＢに代えて、図１６に示すように、上記図５に示すコンスタレーションパターンをＩ軸のマイナス方向にシフトさせたコンスタレーションパターンＢ'を用いる。つまり、本実施の形態では、再送データに対する応答信号用のコンスタレーションパターンとして、（Ｉ,Ｑ）＝（０,０）の信号点がＡＣＫ信号の判定領域に含まれるコンスタレーションパターンを用いる。【０１０１】
これにより、上記図６において時刻ｔ９でフィードバックされるＮＡＣＫ信号を移動局１が受信できない場合、すなわち、時刻ｔ１０で移動局１における判定対象の信号点が（Ｉ,Ｑ）＝（０,０）となってしまう場合でも、実施の形態１同様、移動局１は時刻ｔ９でフィードバックされるＮＡＣＫ信号をＡＣＫ信号と判定することができる。【０１０２】
よって、本実施の形態によれば、判定対象の信号点が（Ｉ,Ｑ）＝（０,０）となってしまう場合でも、実施の形態１同様、ＡＲＱの制御の破綻を防ぐことができる。【０１０３】
なお、本実施の形態は、応答信号用の１つのチャネルを複数の移動局で共有して使用する場合のみならず、応答信号用の複数のチャネルが存在し、移動局毎に応答信号用のチャネルが異なる場合にも好適である。例えば、本実施の形態は、上り回線データ用の複数のリソースブロック（Resource Block：ＲＢ）が存在し、各ＲＢと応答信号を伝送するための各チャネルとが対応付けられる場合にも好適である。【０１０４】
例えば、上り回線データ用のＲＢとしてＲＢ１〜ＲＢ４が存在し、ＲＢ１〜ＲＢ４にそれぞれ対応して、応答信号を伝送するためのチャネルとしてＣＨ１〜ＣＨ４が存在するものとする。ここで、ＲＢ１〜ＲＢ４において１移動局に対し複数のＲＢが割り当てられると、応答信号を伝送するためのチャネルが移動局毎に異なることがある。特に、１移動局に対し割り当てられた複数のＲＢのうち最小番号（または最大番号）のＲＢに対応するチャネルをその移動局への応答信号用のチャネルとする場合に、移動局間において、応答信号を伝送するためのチャネルが互いに異なることが多くなる。例えば、ＲＢ１〜ＲＢ４において、移動局１にＲＢ１,ＲＢ２が割り当てられ、移動局２にＲＢ３,ＲＢ４が割り当てられた場合は、基地局から移動局１へはＣＨ１を用いて応答信号が送信され、基地局から移動局２へはＣＨ３を用いて応答信号が送信される。【０１０５】
よって、上記図６における時刻ｔ９ではＣＨ３を用いてＮＡＣＫ信号がフィードバックされる。移動局１の応答信号用のチャネルはＣＨ１であるため、移動局１は、時刻ｔ９でフィードバックされたＮＡＣＫ信号を受信することができない。よって、時刻ｔ１０での移動局１における判定対象の信号点は（Ｉ,Ｑ）＝（０,０）となってしまう。【０１０６】
このように、複数のＲＢと応答信号を伝送するための複数のチャネルとが対応付けられる場合には、判定対象の信号点が（Ｉ,Ｑ）＝（０,０）となってしまうことが多くなる。よって、本実施の形態は、各ＲＢと応答信号を伝送するための各チャネルとが対応付けられる場合にも好適である。【０１０７】
また、本実施の形態では、上記図５に示すコンスタレーションパターンＢに代えて、図１７に示すように、上記図４に示すコンスタレーションパターンを９０°位相回転させた後、Ｑ軸のプラス方向にシフトさせたコンスタレーションパターンＢ''を用いてもよい。図１７に示すコンスタレーションパターンＢ''においても、上記図１６に示すコンスタレーションパターンＢ'同様、（Ｉ,Ｑ）＝（０,０）の信号点がＡＣＫ信号の判定領域に含まれる。【０１０８】
（実施の形態４）
実施の形態１では、初回送信データに対する応答信号のコンスタレーションパターンと再送データに対する応答信号のコンスタレーションパターンとを異ならせた。これに対し、本実施の形態では、初回送信データに対する応答信号のスクランブリングと再送データに対する応答信号のスクランブリングコードとを異ならせる。【０１０９】
本実施の形態に係る基地局３００の構成を図１８に示し、本実施の形態に係る移動局４００の構成を図１９に示す。なお、図１８，図１９において実施の形態１（図２，図３）に示した構成部と同一の構成部には同一符号を付し説明を省略する。【０１１０】
図１８に示す基地局３００において、変調部３０１は、上り回線データに対する応答信号（ＡＣＫ信号またはＮＡＣＫ信号）に対して変調処理を行い、変調処理後の応答信号をレピティション部３０２に出力する。【０１１１】
レピティション部３０２は、変調部３０１から入力される応答信号を複製（レピティション）して同一の複数の応答信号を得て、それら複数の応答信号をスクランブリング部３０３に出力する。【０１１２】
スクランブリング部３０３は、同一の複数の応答信号をスクランブリングコード制御部３０４によって制御されるスクランブリングコードでスクランブリングし、スクランブリング後の複数の応答信号をマッピング部１０６に出力する。スクランブリング処理の詳細については後述する。【０１１３】
スクランブリングコード制御部３０４は、再送判定部１１５での判定結果に従って、スクランブリング部３０３でのスクランブリング処理に用いられるスクランブリングコードを制御する。【０１１４】
一方、図１９に示す移動局４００において、分離部２０５は、割当情報シンボルと応答信号とを分離して、割当情報シンボルをＰ／Ｓ部２０６に出力し、応答信号をＰ／Ｓ部４０１に出力する。【０１１５】
Ｐ／Ｓ部４０１は、分離部２０５から並列に入力される複数の応答信号を直列に変換してデスクランブリング部４０２に出力する。【０１１６】
デスクランブリング部４０２は、Ｐ／Ｓ部４０１から入力される複数の応答信号をスクランブリングコード制御部４０６によって制御されるスクランブリングコードでデスクランブリングし、デスクランブリング後の複数の応答信号を合成部４０３に出力する。デスクランブリング処理の詳細については後述する。【０１１７】
合成部４０３は、デスクランブリング後の複数の応答信号を合成し、合成後の応答信号を復調部４０４に出力する。合成処理の詳細については後述する。【０１１８】
復調部４０４は、合成後の応答信号に対して復調処理を行い、復調処理後の信号がＡＣＫ信号、ＮＡＣＫ信号またはＤＴＸ（Discontinuous Transmission）のいずれであるかを判定する。そして、復調部４０４は、判定結果を再送制御部４０５に出力する。【０１１９】
再送制御部４０５は、初回送信時には、符号化後の送信データを保持するとともに変調部２１４に出力する。再送制御部４０５は、判定結果として復調部４０４からＡＣＫ信号またはＤＴＸが入力されるまで送信データを保持し、ＡＣＫ信号またはＤＴＸが入力された場合は送信データを廃棄する。また、再送制御部４０５は、判定結果として復調部４０４からＮＡＣＫ信号が入力された場合、すなわち、再送時には、保持している送信データを再び変調部２１４に出力する。また、再送制御部４０５は、初回送信か再送かを示す信号をスクランブリングコード制御部４０６に出力する。【０１２０】
スクランブリングコード制御部４０６は、再送制御部４０５から入力される信号に従って、デスクランブリング部４０２でのデスクランブリング処理に用いられるスクランブリングコードを制御する。【０１２１】
次いで、基地局３００でのスクランブリング処理、移動局４００でのデスクランブリング処理、および、移動局４００での合成処理について、図２０に示すシーケンス例に従って詳しく説明する。【０１２２】
ここでは、初回送信用のスクランブリングコードをＳＣ＃１（Ｃ１,Ｃ２）＝（１,−１）とし、再送用のスクランブリングコードをＳＣ＃２（Ｃ１,Ｃ２）＝（１,１）とする。よって、基地局３００のスクランブリングコード制御部３０４は、応答信号が初回送信データに対するものであると判定された場合はＳＣ＃１をスクランブリング部３０３に設定し、応答信号が再送データに対するものであると判定された場合はＳＣ＃２をスクランブリング部３０３に設定する。同様に、スクランブリングコード制御部４０６は、初回送信を示す信号が入力された場合はＳＣ＃１をデスクランブリング部４０２に設定し、再送を示す信号が入力された場合はＳＣ＃２をデスクランブリング部４０２に設定する。【０１２３】
また、移動局１および移動局２の双方が図１９に示す構成を採る。【０１２４】
また、基地局３００の変調部３０１におけるコンスタレーションパターン（すなわち、応答信号のコンスタレーションパターン）を図２１に示すものとする。【０１２５】
また、基地局３００のレピティション部３０２でのレピティション・ファクターをＲＦ＝２とし、レピティション部３０２が２倍レピティションを行うものとする。よって、レピティション部３０２では、同一の２つの応答信号が得られる。【０１２６】
図２０において、まず基地局３００は、時刻ｔ１で、上り回線のデータチャネルを移動局１に割り当てることを示す割当情報を送信する。【０１２７】
この割当情報を受信した移動局１は、時刻ｔ３で上り回線データを初回送信する。【０１２８】
移動局１からの上り回線データを受信した基地局３００は、この上り回線データに対しＣＲＣを行う。ＣＲＣ＝ＯＫ（誤り無し）の場合、基地局３００は、時刻ｔ５で、ＡＣＫ信号をフィードバックするとともに、上り回線のデータチャネルを移動局２に割り当てることを示す割当情報を送信する。直近の割当情報の送信時刻ｔ１から４ＴＴＩ以内にＡＣＫ信号が送信されるため、スクランブリング部３０３は、レピティション部３０２から入力される２つのＡＣＫ信号（Ｓ１,Ｓ２）を初回送信データに対する応答信号であるとしてＳＣ＃１（Ｃ１,Ｃ２）でスクランブリングする。つまり、スクランブリング部３０３は、２つのＡＣＫ信号Ｓ１,Ｓ２それぞれに１,−１を乗算する。よって、基地局３００からフィードバックされる応答信号はＳ１×１,Ｓ２×−１となる。【０１２９】
移動局１は、時刻ｔ３で上り回線データを初回送信しているため、基地局３００から時刻ｔ５でフィードバックされた２つの応答信号を自局宛てのものであると判断して受信する。また、移動局１は、時刻ｔ３で上り回線データを初回送信しているため、これらの応答信号を初回送信データに対するものであるとしてＳＣ＃１（Ｃ１,Ｃ２）でデスクランブリングする。しかし、移動局１は、下り回線のこの時の回線品質が低いこと等の影響により、ＡＣＫ信号をＮＡＣＫ信号と誤って判定してしまったものとする。よって、移動局１は、時刻ｔ７で上り回線データを再送（１回目）する。【０１３０】
一方、割当情報を受信した移動局２は、時刻ｔ７で上り回線データを初回送信する。【０１３１】
よって、移動局１からの再送データと移動局２からの初回送信データとの間で衝突が発生し、その結果、基地局３００でのＣＲＣ結果は高い確率でＮＧ（誤り有り）となる。よって、基地局３００は、時刻ｔ９でＮＡＣＫ信号をフィードバックする。直近の割当情報の送信時刻ｔ５から４ＴＴＩ以内にＮＡＣＫ信号が送信されるため、スクランブリング部３０３は、図２２に示すように、レピティション部３０２から入力される２つのＮＡＣＫ信号（Ｓ１,Ｓ２）を初回送信データに対する応答信号であるとしてＳＣ＃１（Ｃ１,Ｃ２）でスクランブリングする。つまり、スクランブリング部３０３は、２つのＮＡＣＫ信号Ｓ１,Ｓ２それぞれに１,−１を乗算する。よって、基地局３００からフィードバックされる応答信号は図２２に示すように、Ｓ１×１,Ｓ２×−１となる。【０１３２】
移動局１は、時刻ｔ７で上り回線データを再送しているため、基地局３００から時刻ｔ９でフィードバックされた２つの応答信号を自局宛ての応答信号であると判断して受信する。また、移動局１は、時刻ｔ７で上り回線データを再送しているため、これらの応答信号を再送データに対するものであるとしてＳＣ＃２（Ｃ１,Ｃ２）でデスクランブリングする。すなわち、移動局１のデスクランブリング部４０２は、図２３に示すように、Ｐ／Ｓ部４０１から入力される２つの応答信号、すなわち、図２２に示すＳ１×１,Ｓ２×−１を、再送用のスクランブリングコードＳＣ＃２でデスクランブリングする。つまり、移動局１のデスクランブリング部４０２は、２つの応答信号Ｓ１×１,Ｓ２×−１それぞれを１,１で除算する。よって、移動局１のデスクランブリング部４０２では、図２３に示すような信号点配置のＳ１,−Ｓ２が得られる。【０１３３】
次いで、移動局１の合成部４０３は、デスクランブリング部４０２から入力されるＳ１,−Ｓ２を合成する。よって、合成後の応答信号は、図２３に示すように、（Ｉ,Ｑ）＝（０,０）の信号点に配置される。そして、移動局１の復調部４０４は、この合成後の応答信号を図２４に示す判定軸に従って判定する。よって、移動局１は、基地局３００からの移動局２宛の応答信号（ＮＡＣＫ信号）をＤＴＸと判定する。また、移動局１は、応答信号がＤＴＸと判定される場合、時刻ｔ６でＡＣＫ信号をＮＡＣＫ信号と誤って判定してしまったと判断する。よって、移動局１は、時刻ｔ１１での上り回線データの再送を行わない。つまり、移動局１は、上り回線データの誤った送信を停止することができる。【０１３４】
一方、移動局２は、時刻ｔ７で上り回線データを初回送信しているため、基地局から時刻ｔ９でフィードバックされた２つの応答信号を自局宛ての応答信号であると判断して受信する。また、移動局２は、時刻ｔ７で上り回線データを初回送信しているため、これらの応答信号を初回送信データに対するものであるとしてＳＣ＃１（Ｃ１,Ｃ２）でデスクランブリングする。すなわち、移動局２のデスクランブリング部４０２は、図２５に示すように、Ｐ／Ｓ部４０１から入力される２つの応答信号、すなわち、図２２に示すＳ１×１,Ｓ２×−１を、初回送信用のスクランブリングコードＳＣ＃１でデスクランブリングする。つまり、移動局２のデスクランブリング部４０２は、２つの応答信号Ｓ１×１,Ｓ２×−１それぞれを１,−１で除算する。よって、移動局２のデスクランブリング部４０２では、図２５に示すような信号点配置のＳ１,Ｓ２が得られる。【０１３５】
次いで、移動局２の合成部４０３は、デスクランブリング部４０２から入力されるＳ１,Ｓ２を合成する。よって、合成後の応答信号は、図２５に示すように、基地局３００におけるＮＡＣＫ信号の信号点（図２１）に配置される。そして、移動局２の復調部４０４は、この合成後の応答信号を、移動局１の復調部４０４同様、図２４に示す判定軸に従って判定する。よって、移動局２は、基地局３００からの自局宛の応答信号をＮＡＣＫ信号と判定する。よって、移動局２は、時刻ｔ１１で上り回線データを再送（１回目）する。【０１３６】
よって、時刻ｔ１２では、移動局１からの上り回線データと移動局２からの上り回線データとの衝突は発生せず、基地局３００ではＣＲＣ＝ＯＫ（誤り無し）となる。【０１３７】
ＣＲＣ＝ＯＫ（誤り無し）の場合、基地局３００は、時刻ｔ１３で、ＡＣＫ信号をフィードバックする。直近の割当情報の送信時刻ｔ５から４ＴＴＩ経過後にＡＣＫ信号が送信されるため、スクランブリング部３０３は、レピティション部３０２から入力される２つのＡＣＫ信号（Ｓ１,Ｓ２）を再送データに対する応答信号であるとしてＳＣ＃２（Ｃ１,Ｃ２）でスクランブリングする。つまり、スクランブリング部３０３は、２つのＡＣＫ信号Ｓ１,Ｓ２それぞれに１,１を乗算する。よって、基地局３００からフィードバックされる応答信号はＳ１×１,Ｓ２×１となる。【０１３８】
移動局２は、時刻ｔ１１で上り回線データを再送しているため、基地局３００から時刻ｔ１３でフィードバックされた２つの応答信号を自局宛てのものであると判断して受信する。また、移動局２は、時刻ｔ１１で上り回線データを再送しているため、これらの応答信号を再送データに対するものであるとしてＳＣ＃１（Ｃ１,Ｃ２）でデスクランブリングする。よって、移動局２は、時刻ｔ１３で基地局３００からフィードバックされた応答信号をＡＣＫ信号と認識するため、次回自局宛ての割当情報が送信されるまで上り回線データの送信を停止する。【０１３９】
このようにして本実施の形態では、応答信号用の１つのチャネルを複数の移動局で共有して使用するＡＲＱにおいて、移動局がＡＣＫ信号をＮＡＣＫ信号と誤って受信することがあったとしても、ＡＲＱの制御の破綻を防ぐことができる。【０１４０】
なお、レピティション・ファクターが３以上の場合はスクランブリングコードのチップ数をレピティション・ファクターに合わせることにより、上記同様にして本発明を実施可能である。【０１４１】
また、初回送信用のスクランブリングコードおよび再送用のスクランブリングコードとして用いることができるコードは、互いに完全に直交するコードに限定されない。例えば、初回送信用のスクランブリングコードのすべてのチップを‘１’、再送用のスクランブリングコードのすべてのチップを‘−１’としてもよい。このように、初回送信用のスクランブリングコードおよび再送用のスクランブリングコードとして用いることができるコードは、同一の応答信号を移動局毎に異ならせた内容で認識させることができるコードであればよい。【０１４２】
また、応答信号としてＡＣＫ信号またはＮＡＣＫ信号のいずれか一方のみを用いる場合、すなわち、ＯＯＫ（On/Off Keying）を用いる場合にも、上記同様にして本発明を実施可能である。例えば、応答信号としてＮＡＣＫ信号のみを用いる場合には、移動局４００は図２６に示す判定軸に従って応答信号を判定すればよい。つまり、移動局１の復調部４０４は、合成後の応答信号を図２６に示す判定軸に従って判定する。よって、移動局１は、基地局３００からの移動局２宛の応答信号（ＮＡＣＫ信号）をＡＣＫ信号と判定することができる。よって、移動局１は、上記同様、時刻ｔ１１での上り回線データの再送を行わず、上り回線データの誤った送信を停止することができる。【０１４３】
また、上り回線データの再送回数に応じて図２７に示すようにスクランブリングコードを変化させてもよい。すなわち、上記のように初回送信と再送とにおいてスクランブリングコードを異ならせることに加え、複数の再送においてスクランブリングコードを異ならせてもよい。図２７に示す例では、初回送信用のスクランブリングコードをＳＣ＃１＝（１,１,１,１）とし、１回目の再送用のスクランブリングコードをＳＣ＃２＝（１,１,−１,−１）とし、２回目の再送用のスクランブリングコードをＳＣ＃３＝（１,−１,１,−１）とし、３回目の再送用のスクランブリングコードをＳＣ＃４＝（１,−１,−１,１）とした。これにより、例えば図２０において、基地局から時刻ｔ９でフィードバックされた応答信号を移動局１がＮＡＣＫ信号と誤って判定してしまった場合でも、時刻ｔ１３において、時刻ｔ９で用いられたスクランブリングコードと異なるスクランブリングコードを用いることができ、ＡＲＱの制御の破綻を防ぐことができる。【０１４４】
また、応答信号用のチャネル番号が基地局から移動局へ割当情報を用いて通知される場合でも上記同様にして本発明を実施可能である。また、応答信号用のチャネル番号が、ＲＢ番号と１対１で対応付けられる場合、制御チャネル番号と１対１で対応付けられる場合、または、割当情報がマッピングされるＣＣＥ（Control Channel Elements）の番号と１対１で対応付けられる場合でも上記同様にして本発明を実施可能である。また、応答信号用のチャネルは、ACK/NACKチャネル（ＡＣＫ／ＮＡＣＫ ＣＨ）と称されることがある。例えば、ＣＣＥ番号とＡＣＫ／ＮＡＣＫ ＣＨ番号とが１対１で対応付けられる場合のシーケンス例を図２８（２移動局の場合）および図２９（３移動局の場合）に示す。以下、図２０との相違点のみ説明する。【０１４５】
図２８において、移動局１からの上り回線データを時刻ｔ４で受信した基地局３００は、時刻ｔ１で移動局１への割当情報をＣＣＥ＃１を用いて送信しているため、時刻ｔ５での応答信号をＣＣＥ＃１に対応付けられたＡＣＫ／ＮＡＣＫ ＣＨ＃１を用いて送信する。また、基地局３００は、移動局２への割当情報をＣＣＥ＃１を用いて送信したため、時刻ｔ９での応答信号および時刻ｔ１３での応答信号をＣＣＥ＃１に対応付けられたＡＣＫ／ＮＡＣＫ ＣＨ＃１を用いて送信する。【０１４６】
図２８においても図２０と同様に、移動局１は、移動局２宛ての応答信号を受信してＤＴＸと判定することができるため、時刻ｔ６でのＡＣＫ信号をＮＡＣＫ信号と誤って判定してしまったと判断する。よって、移動局１は、時刻ｔ１１での上り回線データの再送を行わない。つまり、移動局１は、上り回線データの誤った送信を停止することができる。【０１４７】
また、図２９において、移動局１から上り回線データを時刻ｔ４で受信した基地局３００は、時刻ｔ１で移動局１への割当情報をＣＣＥ＃１を用いて送信しているため、時刻ｔ５での応答信号をＣＣＥ＃１に対応付けられたＡＣＫ／ＮＡＣＫ ＣＨ＃１を用いて送信する。また、基地局３００は、移動局２への割当情報をＣＣＥ＃２を用いて送信したため、時刻ｔ９での応答信号および時刻ｔ１３での応答信号をＡＣＫ／ＮＡＣＫ ＣＨ＃２を用いて送信する。また、基地局３００は、移動局３への割当情報をＣＣＥ＃１を用いて送信したため、時刻ｔ９での応答信号をＡＣＫ／ＮＡＣＫ ＣＨ＃１を用いて送信する。【０１４８】
図２９においても図２０と同様に、移動局１は、移動局３宛ての応答信号を受信してＤＴＸと判定することができるため、時刻ｔ６でのＡＣＫ信号をＮＡＣＫ信号と誤って判定してしまったと判断する。よって、移動局１は、時刻ｔ１１での上り回線データの再送を行わない。つまり、移動局１は、上り回線データの誤った送信を停止することができる。【０１４９】
以上、本発明の実施の形態について説明した。【０１５０】
なお、本発明は、上記各実施の形態で示した変調方式以外の変調方式、例えば、ＯＯＫ（On/Off Keying）変調等が使用される通信システムにおいても、上記同様にして実施可能である。【０１５１】
また、本発明は、Ｑ軸上に信号点が配置されるＢＰＳＫや、ＱＰＳＫのコンスタレーションをＢＰＳＫのコンスタレーションとして用いる変調方式が使用される通信システムにおいても、上記同様にして実施可能である。【０１５２】
また、上りデータの送信停止を指示するStop信号、および、上りデータの送信再開を指示するRe-Transmit信号を応答信号として用いる場合にも、上記各実施の形態と同様にして本発明を実施可能である。【０１５３】
また、上記各実施の形態において、応答信号の変調方式としてＱＰＳＫを用いることにより１つのシンボルに２つの応答信号を多重してもよい。【０１５４】
また、本発明は、ＡＣＫ,ＮＡＣＫ,Ｎｕｌｌの３値の判定を行う通信システムにおいても、上記同様にして実施可能である。このような通信システムにおいては、上記の移動局１は、上記の時刻ｔ９で送信されたＮＡＣＫ信号をＡＣＫ信号またはＮｕｌｌ信号と判定すればよい。【０１５５】
また、上記各実施の形態において、応答信号を複製（レピティション）することにより応答信号のダイバーシチ効果を得ることができる。【０１５６】
また、上り回線データの再送中、例えば、１回目の再送と２回目の再送との間に、上り回線のデータチャネルが再割当される場合は、再割当後の最初の再送データに対する応答信号を、初回送信データに対する応答信号のコンスタレーションパターンに従って変調および復調、または、初回送信用のスクランブリングコードでスクランブリングおよびデスクランブリングするとよい。これにより、再割当後の最初の再送データに対する応答信号のコンスタレーションパターン（またはスクランブリングコード）と、ＮＡＣＫ信号に応じた再送データに対する応答信号のコンスタレーションパターン（またはスクランブリングコード）とを異ならせることができる。よって、上り回線のデータチャネルの再割当によって応答信号用のチャネル番号が変化する場合でも、上記各実施形態と同様にしてＡＲＱの制御の破綻を防ぐことができる。【０１５７】
また、応答信号用のチャネルは、ACK/NACKチャネル，ACK/NAKチャネル，ＨＩＣＨ（Hybrid ARQ Indicator Channel）と称されることがある。【０１５８】
また、移動局はUE、基地局装置はNode B、サブキャリアはトーンと称されることがある。また、ＣＰは、ガードインターバル（Guard Interval：ＧＩ）と称されることがある。【０１５９】
また、周波数領域と時間領域との間の変換を行う方法は、ＩＦＦＴ、ＦＦＴに限られない。【０１６０】
また、誤り検出の方法はＣＲＣに限られない。【０１６１】
また、上記各実施の形態では下り回線の伝送方式としてＯＦＤＭ方式を一例に挙げたが、本発明において下り回線の伝送方式は特に限定されない。【０１６２】
また、応答信号は、受信品質を向上させるために、拡散送信、繰り返し送信等される場合がある。この場合にも上記同様にして本発明を実施可能である。【０１６３】
また、上記実施の形態では、本発明をハードウェアで構成する場合を例にとって説明したが、本発明はソフトウェアで実現することも可能である。【０１６４】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１６５】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【０１６６】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１６７】
２００７年２月２日出願の特願２００７−０２４６３６、２００７年６月７日出願の特願２００７−１５１６５８および２００７年８月１４日出願の特願２００７−２１１５４６の日本出願に含まれる明細書、図面および要約書の開示内容は、すべて本願に援用される。
【産業上の利用可能性】
【０１６８】
本発明は、移動体通信システム等に適用することができる。
【図１】
2008093774.tif 000003
【図２】
2008093774.tif 000004
【図３】
2008093774.tif 000005
【図４】
2008093774.tif 000006
【図５】
2008093774.tif 000007
【図６】
2008093774.tif 000008
【図７】
2008093774.tif 000009
【図８】
2008093774.tif 000010
【図９】
2008093774.tif 000011
【図１０】
2008093774.tif 000012
【図１１】
2008093774.tif 000013
【図１２】
2008093774.tif 000014
【図１３】
2008093774.tif 000015
【図１４】
2008093774.tif 000016
【図１５】
2008093774.tif 000017
【図１６】
2008093774.tif 000018
【図１７】
2008093774.tif 000019
【図１８】
2008093774.tif 000020
【図１９】
2008093774.tif 000021
【図２０】
2008093774.tif 000022
【図２１】
2008093774.tif 000023
【図２２】
2008093774.tif 000024
【図２３】
2008093774.tif 000025
【図２４】
2008093774.tif 000026
【図２５】
2008093774.tif 000027
【図２６】
2008093774.tif 000028
【図２７】
2008093774.tif 000029
【図２８】
2008093774.tif 000030
【図２９】
2008093774.tif 000031
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
誤り検出を行って、初回送信データに対する第１の応答信号、および、再送データに対する第２の応答信号を生成する誤り検出手段と、
コンスタレーションにおいて、前記第１の応答信号の判定領域と同一の判定領域に前記第１の応答信号と異なる内容の前記第２の応答信号をマッピングする一方、前記第１の応答信号の判定領域と異なる判定領域に前記第１の応答信号と同一内容の前記第２の応答信号をマッピングして、前記第１の応答信号および前記第２の応答信号を変調する変調手段と、
を具備する無線通信基地局装置。
【請求項２】
前記変調手段は、前記第１の応答信号のコンスタレーションパターンと前記第２の応答信号のコンスタレーションパターンとを反転させて、前記第１の応答信号および前記第２の応答信号を変調する、
請求項１記載の無線通信基地局装置。
【請求項３】
前記誤り検出手段は、ＡＣＫ信号またはＮＡＣＫ信号を前記第１の応答信号および前記第２の応答信号として生成し、
前記変調手段は、前記コンスタレーションにおいて、前記初回送信データに対するＡＣＫ信号がマッピングされた位置に前記再送データに対するＮＡＣＫ信号をマッピングする、
請求項１記載の無線通信基地局装置。
【請求項４】
前記誤り検出手段は、ＡＣＫ信号またはＮＡＣＫ信号を前記第１の応答信号および前記第２の応答信号として生成し、
前記変調手段は、前記コンスタレーションにおいて、前記初回送信データに対するＮＡＣＫ信号がマッピングされた位置に前記再送データに対するＡＣＫ信号をマッピングする、
請求項１記載の無線通信基地局装置。
【請求項５】
初回送信データに対する第１の応答信号、および、再送データに対する第２の応答信号を受信する受信手段と、
前記第１の応答信号と前記第２の応答信号とを、コンスタレーションにおける判定領域を交換して復調する復調手段と、
を具備する無線通信移動局装置。
【請求項６】
ＡＲＱにおける応答信号のマッピング方法であって、
初回送信データに対する第１の応答信号と、再送データに対する第２の応答信号であって前記第１の応答信号と同一内容の前記第２の応答信号とを、コンスタレーションにおける判定領域を交換してマッピングする、
マッピング方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置、無線通信移動局装置およびＡＲＱにおける応答信号のマッピング方法に関する。
【背景技術】
【０００２】
従来、移動体通信では、上り回線で無線通信移動局装置（以下、単に移動局という）から無線通信基地局装置（以下、単に基地局という）へ伝送される上り回線データに対してＡＲＱ（Automatic Repeat Request）が適用され、上り回線データの誤り検出結果を示す応答信号が下り回線で移動局へフィードバックされる。上り回線データに対しＣＲＣ（Cyclic Redundancy Check）を行って、ＣＲＣ＝ＯＫ（誤り無し）であればＡＣＫ（Acknowledgment）信号が、ＣＲＣ＝ＮＧ（誤り有り）であればＮＡＣＫ（Negative Acknowledgment）信号が応答信号として移動局へフィードバックされる。
【０００３】
最近、下り回線の通信リソースを効率よく使用するために、応答信号を下り回線で伝送するためのチャネルを１つに限定し、この１つのチャネルを複数の移動局で共有して使用するＡＲＱについて検討されている。また、このＡＲＱでは、基地局は上り回線データの受信後、所定時間経過後に応答信号を移動局へフィードバックし、移動局は、基地局からＮＡＣＫ信号がフィードバックされた場合には、ＮＡＣＫ信号受信後、所定時間経過後に上り回線データを基地局へ再送する。また、このＡＲＱでは、応答信号に、その応答信号がどの移動局宛てのものであるかを示す情報は付加されない（非特許文献１参照）。
【非特許文献１】3GPP RAN WG1 Meeting document, R1-070245, “Modifications of Uplink Synchronous HARQ scheme”, LG Electronics
【発明の開示】
【発明が解決しようとする課題】
【０００４】
最近検討されている上記ＡＲＱの具体的なシーケンス例を図１に示す。以下の説明では、基地局は上り回線データの受信後、１ＴＴＩ（Transmission Time Interval）経過後に応答信号を移動局へフィードバックし、移動局は、ＮＡＣＫ信号受信後、１ＴＴＩ経過後に上り回線データを基地局へ再送するものとする。
【０００５】
まず、基地局は、時刻ｔ１で、上り回線のデータチャネルを移動局１に割り当てることを示す割当情報を送信する。
【０００６】
この割当情報を受信した移動局１は、時刻ｔ３で上り回線データを初回送信する。
【０００７】
移動局１からの上り回線データを受信した基地局は、この上り回線データに対しＣＲＣを行う。ＣＲＣ＝ＯＫ（誤り無し）の場合、基地局は、時刻ｔ５で、ＡＣＫ信号をフィードバックするとともに、上り回線のデータチャネルを移動局２に割り当てることを示す割当情報を送信する。
【０００８】
移動局１は、時刻ｔ３で上り回線データを初回送信しているため、基地局から時刻ｔ５でフィードバックされたＡＣＫ信号を自局宛てのものであると判断して受信する。しかし、移動局１は、下り回線のこの時の回線品質が低いこと等の影響により、フィードバックされたＡＣＫ信号をＮＡＣＫ信号と誤って復調してしまったものとする。よって、移動局１は、時刻ｔ７で上り回線データを再送（１回目）する。
【０００９】
一方、割当情報を受信した移動局２は、時刻ｔ７で上り回線データを初回送信する。
【００１０】
このように移動局１がＡＣＫ信号をＮＡＣＫ信号と誤って復調してしまった場合、移動局１からの再送データと移動局２からの初回送信データとの間で衝突が発生し、その結果、基地局でのＣＲＣ結果は高い確率でＮＧ（誤り有り）となる。よって、基地局は、時刻ｔ９でＮＡＣＫ信号をフィードバックする。
【００１１】
移動局１は、時刻ｔ７で上り回線データを再送しているため、基地局から時刻ｔ９でフィードバックされたＮＡＣＫ信号を自局宛てのＮＡＣＫ信号であると判断して受信する。よって、移動局１は、時刻ｔ１１で上り回線データを再送（２回目）する。
【００１２】
一方、移動局２も、時刻ｔ７で上り回線データを初回送信しているため、基地局から時刻ｔ９でフィードバックされたＮＡＣＫ信号を自局宛てのＮＡＣＫ信号であると判断して受信する。よって、移動局２も、時刻ｔ１１で上り回線データを再送（１回目）する。
【００１３】
すると、上記同様、移動局１からの再送データと移動局２からの再送データとの間で衝突が発生し、その結果、基地局でのＣＲＣ結果は高い確率でＮＧ（誤り有り）となる。よって、基地局は、時刻ｔ１３でＮＡＣＫ信号をフィードバックする。
【００１４】
以降、双方の移動局からの上り回線データの送信、上り回線データ同士の衝突、ＣＲＣ＝ＮＧ（誤り有り）、ＮＡＣＫ信号のフィードバック、双方の移動局からの上り回線データの送信、という一連の処理が繰り返されてしまい、ＡＲＱの制御が正常に動作しなくなってしまう。
【００１５】
このように、応答信号用の１つのチャネルを複数の移動局で共有して使用するＡＲＱでは、移動局が一旦ＡＣＫ信号をＮＡＣＫ信号と誤って受信してしまうと、ＡＲＱの制御が破綻してしまうという問題がある。
【００１６】
本発明の目的は、応答信号用の１つのチャネルを複数の移動局で共有して使用するＡＲＱにおいて、ＡＲＱの制御の破綻を防ぐことができる基地局、移動局およびＡＲＱにおける応答信号のマッピング方法を提供することである。
【課題を解決するための手段】
【００１７】
本発明の基地局は、誤り検出を行って、初回送信データに対する第１の応答信号、および、再送データに対する第２の応答信号を生成する誤り検出手段と、コンスタレーションにおいて、前記第１の応答信号の判定領域と同一の判定領域に前記第１の応答信号と異なる内容の前記第２の応答信号をマッピングする一方、前記第１の応答信号の判定領域と異なる判定領域に前記第１の応答信号と同一内容の前記第２の応答信号をマッピングして、前記第１の応答信号および前記第２の応答信号を変調する変調手段と、を具備する構成を採る。
【００１８】
また、本発明の移動局は、初回送信データに対する第１の応答信号、および、再送データに対する第２の応答信号を受信する受信手段と、前記第１の応答信号と前記第２の応答信号とを、コンスタレーションにおける判定領域を交換して復調する復調手段と、を具備する構成を採る。
【発明の効果】
【００１９】
本発明によれば、応答信号用の１つのチャネルを複数の移動局で共有して使用するＡＲＱにおいて、ＡＲＱの制御の破綻を防ぐことができる。
【発明を実施するための最良の形態】
【００２０】
以下、本発明の実施の形態について、添付図面を参照して詳細に説明する。
【００２１】
（実施の形態１）
本実施の形態に係る基地局１００の構成を図２に示し、本実施の形態に係る移動局２００の構成を図３に示す。
【００２２】
なお、説明が煩雑になることを避けるために、図２では、本発明と密接に関連する上り回線データの受信、および、その上り回線データに対する応答信号の下り回線での送信に係わる構成部を示し、下り回線データの送信に係わる構成部の図示および説明を省略する。同様に、図３では、本発明と密接に関連する上り回線データの送信、および、その上り回線データに対する応答信号の下り回線での受信に係わる構成部を示し、下り回線データの受信に係わる構成部の図示および説明を省略する。
【００２３】
図２に示す基地局１００において、割当情報生成部１０１は、上り回線のデータチャネルをどの移動局に割り当てるかを示す割当情報を生成し、符号化部１０２および再送判定部１１５に出力する。
【００２４】
符号化部１０２は、割当情報を符号化して変調部１０３に出力する。
【００２５】
変調部１０３は、符号化後の割当情報を変調して複数の割当情報シンボルを生成し、Ｓ／Ｐ部１０４に出力する。
【００２６】
Ｓ／Ｐ部１０４は、変調部１０３から直列に入力される複数の割当情報シンボルを並列に変換してマッピング部１０６に出力する。
【００２７】
変調部１０５は、コンスタレーション制御部１１６によって制御されるコンスタレーションパターンに従って、上り回線データに対する応答信号（ＡＣＫ信号またはＮＡＣＫ信号）に対して変調処理を行い、変調処理後の応答信号をマッピング部１０６に出力する。変調部１０５での変調処理の詳細については後述する。
【００２８】
マッピング部１０６は、割当情報シンボルおよび応答信号を、ＯＦＤＭシンボルを構成する複数のサブキャリアのいずれかにマッピングしてＩＦＦＴ（Inverse Fast Fourier Transform）部１０７に出力する。
【００２９】
ＩＦＦＴ部１０７は、複数のサブキャリアのいずれかにマッピングされた割当情報シンボルおよび応答信号に対してＩＦＦＴを行ってＯＦＤＭシンボルを生成し、ＣＰ（Cyclic
Prefix）付加部１０８に出力する。
【００３０】
ＣＰ付加部１０８は、ＯＦＤＭシンボルの後尾部分と同じ信号をＣＰとしてＯＦＤＭシンボルの先頭に付加する。
【００３１】
無線送信部１０９は、ＣＰ付加後のＯＦＤＭシンボルに対しＤ／Ａ変換、増幅およびアップコンバート等の送信処理を行ってアンテナ１１０から移動局２００へ送信する。
【００３２】
一方、無線受信部１１１は、移動局２００から送信された上り回線データをアンテナ１１０を介して受信し、この上り回線データに対しダウンコンバート、Ａ／Ｄ変換等の受信処理を行う。
【００３３】
復調部１１２は、上り回線データを復調し、復調後の上り回線データを復号部１１３に出力する。
【００３４】
復号部１１３は、復調後の上り回線データを復号し、復号後の上り回線データをＣＲＣ部１１４に出力する。
【００３５】
ＣＲＣ部１１４は、復号後の上り回線データに対してＣＲＣを用いた誤り検出を行って、ＣＲＣ＝ＯＫ（誤り無し）の場合はＡＣＫ信号を、ＣＲＣ＝ＮＧ（誤り有り）の場合はＮＡＣＫ信号を応答信号として生成し、生成した応答信号を変調部１０５および再送判定部１１５に出力する。上り回線データは、初回送信データまたは再送データのいずれかであるため、ＣＲＣ部１１４は、初回送信データに対する応答信号、および、再送データに対する応答信号を生成することになる。また、ＣＲＣ部１１４は、ＣＲＣ＝ＯＫ（誤り無し）の場合、復号後の上り回線データを受信データとして出力する。
【００３６】
再送判定部１１５は、割当情報生成部１０１から割当情報が入力される時刻とＣＲＣ部１１４から応答信号が入力される時刻との時間差に基づいて、その応答信号が初回送信データに対するものか、再送データに対するものかを判定する。上記図１に示すシーケンス例の場合、初回送信データに対する応答信号が生成される時刻は、割当情報が生成された時刻から３ＴＴＩ後である。そこで、再送判定部１１５は、例えば、割当情報が入力された時刻から４ＴＴＩ以内に入力された応答信号は初回送信データに対するものであると判
定し、割当情報が入力された時刻から４ＴＴＩ経過後に入力された応答信号は再送データに対するものであると判定する。そして、再送判定部１１５は、判定結果をコンスタレーション制御部１１６に出力する。
【００３７】
コンスタレーション制御部１１６は、再送判定部１１５での判定結果に従って、変調部１０５での変調処理に用いられるコンスタレーションパターンを制御する。コンスタレーション制御部１１６での制御の詳細については後述する。
【００３８】
一方、図３に示す移動局２００において、無線受信部２０２は、基地局１００から送信されたＯＦＤＭシンボルをアンテナ２０１を介して受信し、このＯＦＤＭシンボルに対しダウンコンバート、Ａ／Ｄ変換等の受信処理を行う。
【００３９】
ＣＰ除去部２０３は、受信処理後のＯＦＤＭシンボルからＣＰを除去する。
【００４０】
ＦＦＴ（Fast Fourier Transform）部２０４は、ＣＰ除去後のＯＦＤＭシンボルに対してＦＦＴを行って割当情報シンボルおよび応答信号を得て、それらを分離部２０５に出力する。
【００４１】
分離部２０５は、割当情報シンボルと応答信号とを分離して、割当情報シンボルをＰ／Ｓ部２０６に出力し、応答信号を復調部２０９に出力する。
【００４２】
Ｐ／Ｓ部２０６は、分離部２０５から並列に入力される複数の割当情報シンボルを直列に変換して復調部２０７に出力する。
【００４３】
復調部２０７は、割当情報シンボルを復調し、復調後の割当情報を復号部２０８に出力する。
【００４４】
復号部２０８は、復調後の割当情報を復号し、復号後の割当情報を送信制御部２１０に出力する。
【００４５】
復調部２０９は、コンスタレーション制御部２１３によって制御されるコンスタレーションパターンに従って、応答信号（ＡＣＫ信号またはＮＡＣＫ信号）に対して復調処理を行い、復調処理後の応答信号を再送制御部２１２に出力する。復調部２０９での復調処理の詳細については後述する。
【００４６】
送信制御部２１０は、復号部２０８から入力された割当情報が上り回線のデータチャネルを自局に割り当てることを示す割当情報である場合に、送信データを符号化部２１１に出力する。
【００４７】
符号化部２１１は、送信データを符号化して再送制御部２１２に出力する。
【００４８】
再送制御部２１２は、初回送信時には、符号化後の送信データを保持するとともに変調部２１４に出力する。再送制御部２１２は、復調部２０９からＡＣＫ信号が入力されるまで送信データを保持する。また、再送制御部２１２は、復調部２０９からＮＡＣＫ信号が入力された場合、すなわち、再送時には、保持している送信データを変調部２１４に出力する。また、再送制御部２１２は、初回送信か再送かを示す信号をコンスタレーション制御部２１３に出力する。
【００４９】
コンスタレーション制御部２１３は、再送制御部２１２から入力される信号に従って、復調部２０９での復調処理に用いられるコンスタレーションパターンを制御する。コンス
タレーション制御部２１３での制御の詳細については後述する。
【００５０】
変調部２１４は、再送制御部２１２から入力される符号化後の送信データを変調して無線送信部２１５に出力する。
【００５１】
無線送信部２１５は、変調後の送信データに対しＤ／Ａ変換、増幅およびアップコンバート等の送信処理を行ってアンテナ２０１から基地局１００へ送信する。このようにして送信されるデータが上り回線データとなる。
【００５２】
次いで、基地局１００のコンスタレーション制御部１１６での制御、変調部１０５での変調処理、および、移動局２００のコンスタレーション制御部２１３での制御、復調部２０９での復調処理について詳しく説明する。
【００５３】
基地局１００のコンスタレーション制御部１１６は、応答信号が初回送信データに対するものである場合は、図４に示すコンスタレーションパターンＡを変調部１０５に設定する。この設定に従い、変調部１０５は、初回送信データに対する応答信号をコンスタレーションパターンＡに従ってマッピングして変調する。
【００５４】
一方、応答信号が再送データに対するものである場合は、コンスタレーション制御部１１６は、図５に示すコンスタレーションパターンＢを変調部１０５に設定する。この設定に従い、変調部１０５は、再送データに対する応答信号をコンスタレーションパターンＢに従ってマッピングして変調する。
【００５５】
ここで、コンスタレーションパターンＡ（図４）とコンスタレーションパターンＢ（図５）とを比較すると、ＡＣＫ信号のマッピング位置とＮＡＣＫ信号のマッピング位置とがＱ軸を基準にして互いに反転している。つまり、再送データに対する応答信号のコンスタレーションパターンＢは、初回送信データに対する応答信号のコンスタレーションパターンＡを反転させたものとなる。よって、変調部１０５は、初回送信データに対するＡＣＫ信号がマッピングされた位置に再送データに対するＮＡＣＫ信号をマッピングして変調する。また、変調部１０５は、初回送信データに対するＮＡＣＫ信号がマッピングされた位置に再送データに対するＡＣＫ信号をマッピングして変調する。つまり、変調部１０５は、初回送信データに対するＡＣＫ信号のマッピング位置と再送データに対するＡＣＫ信号のマッピング位置とを反転させるとともに、初回送信データに対するＮＡＣＫ信号のマッピング位置と再送データに対するＮＡＣＫ信号のマッピング位置とを反転させる。
【００５６】
同様に、移動局２００のコンスタレーション制御部２１３は、初回送信時には、コンスタレーションパターンＡ（図４）を復調部２０９に設定する。よって、復調部２０９では、無線受信部２０２によって初回送信データに対する応答信号が受信される場合は、その応答信号をコンスタレーションパターンＡに従って復調する。
【００５７】
一方、再送時には、コンスタレーション制御部２１３は、コンスタレーションパターンＢ（図５）を復調部２０９に設定する。よって、復調部２０９では、無線受信部２０２によって再送データに対する応答信号が受信される場合は、その応答信号をコンスタレーションパターンＢに従って復調する。
【００５８】
このように、基地局１００では、変調部１０５が、コンスタレーションにおいて、初回送信データに対するＡＣＫ信号の判定領域Ｘ（図４）と同一の判定領域Ｘ（図５）に、再送データに対するＮＡＣＫ信号をマッピングする一方、初回送信データに対するＡＣＫ信号の判定領域Ｘ（図４）と異なる判定領域Ｙ（図５）に、再送データに対するＡＣＫ信号をマッピングする。また、基地局１００では、変調部１０５が、コンスタレーションにお
いて、初回送信データに対するＮＡＣＫ信号の判定領域Ｙ（図４）と同一の判定領域Ｙ（図５）に、再送データに対するＡＣＫ信号をマッピングする一方、初回送信データに対するＮＡＣＫ信号の判定領域Ｙ（図４）と異なる判定領域Ｘ（図５）に、再送データに対するＮＡＣＫ信号をマッピングする。つまり、基地局１００では、初回送信データに対する応答信号と、再送データに対する応答信号であって、初回送信データに対する応答信号と同一内容の応答信号とを、コンスタレーションにおける判定領域を交換してマッピングする。このように、本実施の形態では、再送データに対するＮＡＣＫ信号の判定領域が初回送信データに対するＡＣＫ信号の判定領域と等しく、再送データに対するＡＣＫ信号の判定領域が初回送信データに対するＮＡＣＫ信号の判定領域と等しい。
【００５９】
そして、移動局２００の復調部２０９では、基地局１００の変調部１０５で行われるマッピングに合わせ、初回送信データに対する応答信号のコンスタレーションパターンと再送データに対する応答信号のコンスタレーションパターンとを反転させることにより、初回送信データに対する応答信号と、再送データに対する応答信号とを、コンスタレーションにおける判定領域を交換して復調する。
【００６０】
以下、本実施の形態に係る具体的なシーケンス例を図６に示す。以下の説明では、上記図１と同様、基地局は上り回線データの受信後、１ＴＴＩ経過後に応答信号を移動局へフィードバックし、移動局は、ＮＡＣＫ信号受信後、１ＴＴＩ経過後に上り回線データを基地局へ再送するものとする。また、図６に示す基地局は上記図２に示す構成を採り、図６に示す移動局１,移動局２は共に上記図３に示す構成を採る。
【００６１】
まず基地局は、時刻ｔ１で、上り回線のデータチャネルを移動局１に割り当てることを示す割当情報を送信する。
【００６２】
この割当情報を受信した移動局１は、時刻ｔ３で上り回線データを初回送信する。
【００６３】
移動局１からの上り回線データを受信した基地局は、この上り回線データに対しＣＲＣを行う。ＣＲＣ＝ＯＫ（誤り無し）の場合、基地局は、時刻ｔ５で、ＡＣＫ信号をフィードバックするとともに、上り回線のデータチャネルを移動局２に割り当てることを示す割当情報を送信する。この際、基地局は、直近の割当情報の送信時刻ｔ１から４ＴＴＩ以内にＡＣＫ信号を送信するため、このＡＣＫ信号を初回送信データに対するものであるとしてコンスタレーションパターンＡ（図４）に従って変調する。
【００６４】
移動局１は、時刻ｔ３で上り回線データを初回送信しているため、基地局から時刻ｔ５でフィードバックされたＡＣＫ信号を自局宛てのものであると判断して受信する。また、移動局１は、時刻ｔ３で上り回線データを初回送信しているため、このＡＣＫ信号を初回送信データに対するものであるとしてコンスタレーションパターンＡ（図４）に従って復調する。しかし、移動局１は、下り回線のこの時の回線品質が低いこと等の影響により、フィードバックされたＡＣＫ信号をＮＡＣＫ信号と誤って復調してしまったものとする。よって、移動局１は、時刻ｔ７で上り回線データを再送（１回目）する。
【００６５】
一方、割当情報を受信した移動局２は、時刻ｔ７で上り回線データを初回送信する。
【００６６】
よって、移動局１からの再送データと移動局２からの初回送信データとの間で衝突が発生し、その結果、基地局でのＣＲＣ結果は高い確率でＮＧ（誤り有り）となる。よって、基地局は、時刻ｔ９でＮＡＣＫ信号をフィードバックする。この際、基地局は、直近の割当情報の送信時刻ｔ５から４ＴＴＩ以内にＮＡＣＫ信号を送信するため、このＮＡＣＫ信号を初回送信データに対するものであるとしてコンスタレーションパターンＡ（図４）に従って変調する。
【００６７】
移動局１は、時刻ｔ７で上り回線データを再送しているため、基地局から時刻ｔ９でフィードバックされたＮＡＣＫ信号を自局宛てのＮＡＣＫ信号であると判断して受信する。また、移動局１は、時刻ｔ７で上り回線データを再送しているため、このＮＡＣＫ信号を再送データに対するものであるとしてコンスタレーションパターンＢ（図５）に従って復調する。
【００６８】
一方、移動局２は、時刻ｔ７で上り回線データを初回送信しているため、基地局から時刻ｔ９でフィードバックされたＮＡＣＫ信号を自局宛てのＮＡＣＫ信号であると判断して受信する。また、移動局２は、時刻ｔ７で上り回線データを初回送信しているため、このＮＡＣＫ信号をコンスタレーションパターンＡ（図４）に従って復調する。
【００６９】
つまり、時刻ｔ９で基地局においてコンスタレーションパターンＡに従って変調されたＮＡＣＫ信号を、移動局１ではコンスタレーションパターンＢに従って復調し、移動局２ではコンスタレーションパターンＡに従って復調する。よって、時刻ｔ９で基地局からフィードバックされたＮＡＣＫ信号は、移動局１ではＡＣＫ信号と判定され、移動局２ではＮＡＣＫ信号と判定される。このように、初回送信データに対する応答信号と再送データに対する応答信号とをコンスタレーションにおける判定領域を交換して変調および復調することにより、同一内容の応答信号を移動局毎にその内容を異ならせて認識させることができる。
【００７０】
移動局１は、時刻ｔ９で基地局からフィードバックされたＮＡＣＫ信号をＡＣＫ信号と認識するため、次回自局宛ての割当情報が送信されるまで上り回線データの送信を停止する。つまり、移動局１は、誤った再送を停止することができる。
【００７１】
移動局２は、時刻ｔ９で基地局からフィードバックされたＮＡＣＫ信号をＮＡＣＫ信号と認識するため、時刻ｔ１１で上り回線データを再送（１回目）する。
【００７２】
移動局２からの上り回線データを受信した基地局は、この上り回線データに対しＣＲＣを行う。ＣＲＣ＝ＯＫ（誤り無し）の場合、基地局は、時刻ｔ１３で、ＡＣＫ信号をフィードバックする。この際、基地局は、直近の割当情報の送信時刻ｔ５から４ＴＴＩ経過後にＡＣＫ信号を送信するため、このＡＣＫ信号を再送データに対するものであるとしてコンスタレーションパターンＢ（図５）に従って変調する。
【００７３】
移動局２は、時刻ｔ１１で上り回線データを再送しているため、基地局から時刻ｔ１３でフィードバックされたＡＣＫ信号を自局宛てのものであると判断して受信する。また、移動局２は、時刻ｔ１１で上り回線データを再送しているため、このＡＣＫ信号を再送データに対するものであるとしてコンスタレーションパターンＢ（図５）に従って復調する。よって、移動局２は、時刻ｔ１３で基地局からフィードバックされたＡＣＫ信号をＡＣＫ信号と認識するため、次回自局宛ての割当情報が送信されるまで上り回線データの送信を停止する。
【００７４】
このようにして本実施の形態では、応答信号用の１つのチャネルを複数の移動局で共有して使用するＡＲＱにおいて、移動局がＡＣＫ信号をＮＡＣＫ信号と誤って受信することがあったとしても、ＡＲＱの制御の破綻を防ぐことができる。
【００７５】
なお、上記説明では、コンスタレーションパターンの制御をより簡単にするために、初回送信データに対する応答信号のコンスタレーションパターンを反転させて再送データに対する応答信号のコンスタレーションパターンとしたが（図４,図５）、例えば再送データに対する応答信号のコンスタレーションパターンを図７に示すものとしてもよい。つま
り、初回送信データに対するＮＡＣＫ信号の判定領域が再送データに対するＡＣＫ信号の判定領域内に含まれてさえいれば如何なるコンスタレーションパターンを用いてもよい。
【００７６】
また、複数種類のＮＡＣＫ信号を扱う必要がある場合には、初回送信データに対する応答信号のコンスタレーションパターンを図８に示すものとし、再送データに対する応答信号のコンスタレーションパターンを図９に示すものとしてもよい。
【００７７】
また、本実施の形態では、移動局１がセルエッジに位置する場合でもコンスタレーションパターンＡで送信されるＮＡＣＫ信号を移動局１に確実に受信させてＡＣＫ信号と認識させるべく、コンスタレーションパターンＡにおける応答信号の送信電力を図１０に示すようにして、初回送信データに対するＮＡＣＫ信号の送信電力を増加させるのが好ましい。
【００７８】
また、基地局１００（図２）は、上り回線データを合成する合成部を復調部１１２と復号部１１３との間に備えてもよい。この合成部は、再送判定部１１５での判定結果に従って、復調部１１２から初回送信データが入力される場合は、その初回送信データをそのまま復号部１１３に出力し、復調部１１２から再送データが入力される場合は、その再送データを初回送信データまたはそれまでの合成データと合成し、合成後のデータを再送データとして復号部１１３に出力する。また、この合成部は、割当情報生成部１０１から割当情報を入力され、割当情報が入力される時刻と復調部１１２から上り回線データが入力される時刻との時間差に基づいて、再送判定部１１５と同様にして、その上り回線データが初回送信データか再送データかを判定する。
【００７９】
また、移動局２００（図３）における再送制御部２１２は、変調部２１４と無線送信部２１５との間に設けられてもよい。
【００８０】
（実施の形態２）
本実施の形態では、移動局毎に異なるコンスタレーションパターンを割り当てる。例えば、各移動局に固有のコンスタレーションパターンとして、移動局１にコンスタレーションパターンＡ（図４）を割り当て、移動局２にコンスタレーションパターンＢ（図５）を割り当てる。
【００８１】
以下、本実施の形態に係る具体的なシーケンス例を図１１に示す。以下の説明では、上記図１と同様、基地局は上り回線データの受信後、１ＴＴＩ経過後に応答信号を移動局へフィードバックし、移動局は、ＮＡＣＫ信号受信後、１ＴＴＩ経過後に上り回線データを基地局へ再送するものとする。
【００８２】
まず基地局は、時刻ｔ１で、上り回線のデータチャネルおよびコンスタレーションパターンＡ（図４）を移動局１に割り当てることを示す割当情報を送信する。
【００８３】
この割当情報を受信した移動局１は、時刻ｔ３で上り回線データを初回送信する。
【００８４】
移動局１からの上り回線データを受信した基地局は、この上り回線データに対しＣＲＣを行う。ＣＲＣ＝ＯＫ（誤り無し）の場合、基地局は、時刻ｔ５で、ＡＣＫ信号をフィードバックするとともに、上り回線のデータチャネルおよびコンスタレーションパターンＢ（図５）を移動局２に割り当てることを示す割当情報を送信する。また、このＡＣＫ信号は移動局１宛てのものであるため、基地局は、このＡＣＫ信号をコンスタレーションパターンＡ（図４）に従って変調する。
【００８５】
移動局１は、時刻ｔ３で上り回線データを初回送信しているため、基地局から時刻ｔ５
でフィードバックされたＡＣＫ信号を自局宛てのものであると判断して受信する。また、移動局１は、コンスタレーションパターンＡを割り当てられているため、このＡＣＫ信号をコンスタレーションパターンＡ（図４）に従って復調する。しかし、移動局１は、下り回線のこの時の回線品質が低いこと等の影響により、フィードバックされたＡＣＫ信号をＮＡＣＫ信号と誤って復調してしまったものとする。よって、移動局１は、時刻ｔ７で上り回線データを再送（１回目）する。
【００８６】
一方、割当情報を受信した移動局２は、時刻ｔ７で上り回線データを初回送信する。
【００８７】
よって、移動局１からの再送データと移動局２からの初回送信データとの間で衝突が発生し、その結果、基地局でのＣＲＣ結果は高い確率でＮＧ（誤り有り）となる。よって、基地局は、時刻ｔ９でＮＡＣＫ信号をフィードバックする。このＮＡＣＫ信号は移動局２宛てのものであるため、基地局は、このＮＡＣＫ信号をコンスタレーションパターンＢ（図５）に従って変調する。
【００８８】
移動局１は、時刻ｔ７で上り回線データを再送しているため、基地局から時刻ｔ９でフィードバックされたＮＡＣＫ信号を自局宛てのＮＡＣＫ信号であると判断して受信する。また、移動局１は、コンスタレーションパターンＡを割り当てられているため、このＮＡＣＫ信号をコンスタレーションパターンＡ（図４）に従って復調する。
【００８９】
一方、移動局２は、時刻ｔ７で上り回線データを初回送信しているため、基地局から時刻ｔ９でフィードバックされたＮＡＣＫ信号を自局宛てのＮＡＣＫ信号であると判断して受信する。また、移動局２は、コンスタレーションパターンＢを割り当てられているため、このＮＡＣＫ信号をコンスタレーションパターンＢ（図５）に従って復調する。
【００９０】
つまり、時刻ｔ９で基地局においてコンスタレーションパターンＢに従って変調されたＮＡＣＫ信号を、移動局１ではコンスタレーションパターンＡに従って復調し、移動局２ではコンスタレーションパターンＢに従って復調する。よって、時刻ｔ９で基地局からフィードバックされたＮＡＣＫ信号は、移動局１ではＡＣＫ信号と判定され、移動局２ではＮＡＣＫ信号と判定される。このように、各移動局に対しそれぞれ固有のコンスタレーションパターンを割り当てることにより、同一内容の応答信号を移動局毎にその内容を異ならせて認識させることができる。
【００９１】
移動局１は、時刻ｔ９で基地局からフィードバックされたＮＡＣＫ信号をＡＣＫ信号と認識するため、次回自局宛ての割当情報が送信されるまで上り回線データの送信を停止する。つまり、移動局１は、誤った再送を停止することができる。
【００９２】
移動局２は、時刻ｔ９で基地局からフィードバックされたＮＡＣＫ信号をＮＡＣＫ信号と認識するため、時刻ｔ１１で上り回線データを再送（１回目）する。
【００９３】
移動局２からの上り回線データを受信した基地局は、この上り回線データに対しＣＲＣを行う。ＣＲＣ＝ＯＫ（誤り無し）の場合、基地局は、時刻ｔ１３で、ＡＣＫ信号をフィードバックする。このＡＣＫ信号は移動局２宛てのものであるため、基地局は、このＡＣＫ信号をコンスタレーションパターンＢ（図５）に従って変調する。
【００９４】
移動局２は、時刻ｔ１１で上り回線データを再送しているため、基地局から時刻ｔ１３でフィードバックされたＡＣＫ信号を自局宛てのものであると判断して受信する。また、移動局２は、コンスタレーションパターンＢを割り当てられているため、このＡＣＫ信号をコンスタレーションパターンＢ（図５）に従って復調する。よって、移動局２は、時刻ｔ１３で基地局からフィードバックされたＡＣＫ信号をＡＣＫ信号と認識するため、次回
自局宛ての割当情報が送信されるまで上り回線データの送信を停止する。
【００９５】
このようにして本実施の形態では、応答信号用の１つのチャネルを複数の移動局で共有して使用するＡＲＱにおいて、移動局がＡＣＫ信号をＮＡＣＫ信号と誤って受信することがあったとしても、ＡＲＱの制御の破綻を防ぐことができる。
【００９６】
なお、移動局の数が増加した場合、例えば、移動局１,２の他に移動局３,４が存在する場合には、図１２に示すように、移動局３に対して図１３に示すコンスタレーションパターンＣを割り当て、移動局４に対して図１４に示すコンスタレーションパターンＤを割り当てるとよい。
【００９７】
また、図１５に示すように、上り回線データの送信回数に応じて移動局毎に応答信号のコンスタレーションパターンを変化させてもよい。
【００９８】
また、応答信号を複製（レピティション）する場合には、同一の複数の応答信号に対してそれぞれ異なるコンスタレーションパターンを割り当ててもよい。このようなコンスタレーションパターンの割当は、同一の複数の応答信号に各移動局固有のスクランブリングコードを乗算することにより行うことができる。
【００９９】
（実施の形態３）
実施の形態１では、コンスタレーションパターンＡ（図４）における判定軸およびコンスタレーションパターンＢ（図５）における判定軸の双方がＱ軸であった。これに対し、本実施の形態では、上記図５に示すコンスタレーションパターンＢに代えて、図１６に示すように、上記図５に示すコンスタレーションパターンをＩ軸のマイナス方向にシフトさせたコンスタレーションパターンＢ'を用いる。つまり、本実施の形態では、再送データに対する応答信号用のコンスタレーションパターンとして、（Ｉ,Ｑ）＝（０,０）の信号点がＡＣＫ信号の判定領域に含まれるコンスタレーションパターンを用いる。
【０１００】
これにより、上記図６において時刻ｔ９でフィードバックされるＮＡＣＫ信号を移動局１が受信できない場合、すなわち、時刻ｔ１０で移動局１における判定対象の信号点が（Ｉ,Ｑ）＝（０,０）となってしまう場合でも、実施の形態１同様、移動局１は時刻ｔ９でフィードバックされるＮＡＣＫ信号をＡＣＫ信号と判定することができる。
【０１０１】
よって、本実施の形態によれば、判定対象の信号点が（Ｉ,Ｑ）＝（０,０）となってしまう場合でも、実施の形態１同様、ＡＲＱの制御の破綻を防ぐことができる。
【０１０２】
なお、本実施の形態は、応答信号用の１つのチャネルを複数の移動局で共有して使用する場合のみならず、応答信号用の複数のチャネルが存在し、移動局毎に応答信号用のチャネルが異なる場合にも好適である。例えば、本実施の形態は、上り回線データ用の複数のリソースブロック（Resource Block：ＲＢ）が存在し、各ＲＢと応答信号を伝送するための各チャネルとが対応付けられる場合にも好適である。
【０１０３】
例えば、上り回線データ用のＲＢとしてＲＢ１〜ＲＢ４が存在し、ＲＢ１〜ＲＢ４にそれぞれ対応して、応答信号を伝送するためのチャネルとしてＣＨ１〜ＣＨ４が存在するものとする。ここで、ＲＢ１〜ＲＢ４において１移動局に対し複数のＲＢが割り当てられると、応答信号を伝送するためのチャネルが移動局毎に異なることがある。特に、１移動局に対し割り当てられた複数のＲＢのうち最小番号（または最大番号）のＲＢに対応するチャネルをその移動局への応答信号用のチャネルとする場合に、移動局間において、応答信号を伝送するためのチャネルが互いに異なることが多くなる。例えば、ＲＢ１〜ＲＢ４において、移動局１にＲＢ１,ＲＢ２が割り当てられ、移動局２にＲＢ３,ＲＢ４が割り当て
られた場合は、基地局から移動局１へはＣＨ１を用いて応答信号が送信され、基地局から移動局２へはＣＨ３を用いて応答信号が送信される。
【０１０４】
よって、上記図６における時刻ｔ９ではＣＨ３を用いてＮＡＣＫ信号がフィードバックされる。移動局１の応答信号用のチャネルはＣＨ１であるため、移動局１は、時刻ｔ９でフィードバックされたＮＡＣＫ信号を受信することができない。よって、時刻ｔ１０での移動局１における判定対象の信号点は（Ｉ,Ｑ）＝（０,０）となってしまう。
【０１０５】
このように、複数のＲＢと応答信号を伝送するための複数のチャネルとが対応付けられる場合には、判定対象の信号点が（Ｉ,Ｑ）＝（０,０）となってしまうことが多くなる。よって、本実施の形態は、各ＲＢと応答信号を伝送するための各チャネルとが対応付けられる場合にも好適である。
【０１０６】
また、本実施の形態では、上記図５に示すコンスタレーションパターンＢに代えて、図１７に示すように、上記図４に示すコンスタレーションパターンを９０°位相回転させた後、Ｑ軸のプラス方向にシフトさせたコンスタレーションパターンＢ''を用いてもよい。図１７に示すコンスタレーションパターンＢ''においても、上記図１６に示すコンスタレーションパターンＢ'同様、（Ｉ,Ｑ）＝（０,０）の信号点がＡＣＫ信号の判定領域に含まれる。
【０１０７】
（実施の形態４）
実施の形態１では、初回送信データに対する応答信号のコンスタレーションパターンと再送データに対する応答信号のコンスタレーションパターンとを異ならせた。これに対し、本実施の形態では、初回送信データに対する応答信号のスクランブリングと再送データに対する応答信号のスクランブリングコードとを異ならせる。
【０１０８】
本実施の形態に係る基地局３００の構成を図１８に示し、本実施の形態に係る移動局４００の構成を図１９に示す。なお、図１８，図１９において実施の形態１（図２，図３）に示した構成部と同一の構成部には同一符号を付し説明を省略する。
【０１０９】
図１８に示す基地局３００において、変調部３０１は、上り回線データに対する応答信号（ＡＣＫ信号またはＮＡＣＫ信号）に対して変調処理を行い、変調処理後の応答信号をレピティション部３０２に出力する。
【０１１０】
レピティション部３０２は、変調部３０１から入力される応答信号を複製（レピティション）して同一の複数の応答信号を得て、それら複数の応答信号をスクランブリング部３０３に出力する。
【０１１１】
スクランブリング部３０３は、同一の複数の応答信号をスクランブリングコード制御部３０４によって制御されるスクランブリングコードでスクランブリングし、スクランブリング後の複数の応答信号をマッピング部１０６に出力する。スクランブリング処理の詳細については後述する。
【０１１２】
スクランブリングコード制御部３０４は、再送判定部１１５での判定結果に従って、スクランブリング部３０３でのスクランブリング処理に用いられるスクランブリングコードを制御する。
【０１１３】
一方、図１９に示す移動局４００において、分離部２０５は、割当情報シンボルと応答信号とを分離して、割当情報シンボルをＰ／Ｓ部２０６に出力し、応答信号をＰ／Ｓ部４０１に出力する。
【０１１４】
Ｐ／Ｓ部４０１は、分離部２０５から並列に入力される複数の応答信号を直列に変換してデスクランブリング部４０２に出力する。
【０１１５】
デスクランブリング部４０２は、Ｐ／Ｓ部４０１から入力される複数の応答信号をスクランブリングコード制御部４０６によって制御されるスクランブリングコードでデスクランブリングし、デスクランブリング後の複数の応答信号を合成部４０３に出力する。デスクランブリング処理の詳細については後述する。
【０１１６】
合成部４０３は、デスクランブリング後の複数の応答信号を合成し、合成後の応答信号を復調部４０４に出力する。合成処理の詳細については後述する。
【０１１７】
復調部４０４は、合成後の応答信号に対して復調処理を行い、復調処理後の信号がＡＣＫ信号、ＮＡＣＫ信号またはＤＴＸ（Discontinuous Transmission）のいずれであるかを判定する。そして、復調部４０４は、判定結果を再送制御部４０５に出力する。
【０１１８】
再送制御部４０５は、初回送信時には、符号化後の送信データを保持するとともに変調部２１４に出力する。再送制御部４０５は、判定結果として復調部４０４からＡＣＫ信号またはＤＴＸが入力されるまで送信データを保持し、ＡＣＫ信号またはＤＴＸが入力された場合は送信データを廃棄する。また、再送制御部４０５は、判定結果として復調部４０４からＮＡＣＫ信号が入力された場合、すなわち、再送時には、保持している送信データを再び変調部２１４に出力する。また、再送制御部４０５は、初回送信か再送かを示す信号をスクランブリングコード制御部４０６に出力する。
【０１１９】
スクランブリングコード制御部４０６は、再送制御部４０５から入力される信号に従って、デスクランブリング部４０２でのデスクランブリング処理に用いられるスクランブリングコードを制御する。
【０１２０】
次いで、基地局３００でのスクランブリング処理、移動局４００でのデスクランブリング処理、および、移動局４００での合成処理について、図２０に示すシーケンス例に従って詳しく説明する。
【０１２１】
ここでは、初回送信用のスクランブリングコードをＳＣ＃１（Ｃ１,Ｃ２）＝（１,−１）とし、再送用のスクランブリングコードをＳＣ＃２（Ｃ１,Ｃ２）＝（１,１）とする。よって、基地局３００のスクランブリングコード制御部３０４は、応答信号が初回送信データに対するものであると判定された場合はＳＣ＃１をスクランブリング部３０３に設定し、応答信号が再送データに対するものであると判定された場合はＳＣ＃２をスクランブリング部３０３に設定する。同様に、スクランブリングコード制御部４０６は、初回送信を示す信号が入力された場合はＳＣ＃１をデスクランブリング部４０２に設定し、再送を示す信号が入力された場合はＳＣ＃２をデスクランブリング部４０２に設定する。
【０１２２】
また、移動局１および移動局２の双方が図１９に示す構成を採る。
【０１２３】
また、基地局３００の変調部３０１におけるコンスタレーションパターン（すなわち、応答信号のコンスタレーションパターン）を図２１に示すものとする。
【０１２４】
また、基地局３００のレピティション部３０２でのレピティション・ファクターをＲＦ＝２とし、レピティション部３０２が２倍レピティションを行うものとする。よって、レピティション部３０２では、同一の２つの応答信号が得られる。
【０１２５】
図２０において、まず基地局３００は、時刻ｔ１で、上り回線のデータチャネルを移動局１に割り当てることを示す割当情報を送信する。
【０１２６】
この割当情報を受信した移動局１は、時刻ｔ３で上り回線データを初回送信する。
【０１２７】
移動局１からの上り回線データを受信した基地局３００は、この上り回線データに対しＣＲＣを行う。ＣＲＣ＝ＯＫ（誤り無し）の場合、基地局３００は、時刻ｔ５で、ＡＣＫ信号をフィードバックするとともに、上り回線のデータチャネルを移動局２に割り当てることを示す割当情報を送信する。直近の割当情報の送信時刻ｔ１から４ＴＴＩ以内にＡＣＫ信号が送信されるため、スクランブリング部３０３は、レピティション部３０２から入力される２つのＡＣＫ信号（Ｓ１,Ｓ２）を初回送信データに対する応答信号であるとしてＳＣ＃１（Ｃ１,Ｃ２）でスクランブリングする。つまり、スクランブリング部３０３は、２つのＡＣＫ信号Ｓ１,Ｓ２それぞれに１,−１を乗算する。よって、基地局３００からフィードバックされる応答信号はＳ１×１,Ｓ２×−１となる。
【０１２８】
移動局１は、時刻ｔ３で上り回線データを初回送信しているため、基地局３００から時刻ｔ５でフィードバックされた２つの応答信号を自局宛てのものであると判断して受信する。また、移動局１は、時刻ｔ３で上り回線データを初回送信しているため、これらの応答信号を初回送信データに対するものであるとしてＳＣ＃１（Ｃ１,Ｃ２）でデスクランブリングする。しかし、移動局１は、下り回線のこの時の回線品質が低いこと等の影響により、ＡＣＫ信号をＮＡＣＫ信号と誤って判定してしまったものとする。よって、移動局１は、時刻ｔ７で上り回線データを再送（１回目）する。
【０１２９】
一方、割当情報を受信した移動局２は、時刻ｔ７で上り回線データを初回送信する。
【０１３０】
よって、移動局１からの再送データと移動局２からの初回送信データとの間で衝突が発生し、その結果、基地局３００でのＣＲＣ結果は高い確率でＮＧ（誤り有り）となる。よって、基地局３００は、時刻ｔ９でＮＡＣＫ信号をフィードバックする。直近の割当情報の送信時刻ｔ５から４ＴＴＩ以内にＮＡＣＫ信号が送信されるため、スクランブリング部３０３は、図２２に示すように、レピティション部３０２から入力される２つのＮＡＣＫ信号（Ｓ１,Ｓ２）を初回送信データに対する応答信号であるとしてＳＣ＃１（Ｃ１,Ｃ２）でスクランブリングする。つまり、スクランブリング部３０３は、２つのＮＡＣＫ信号Ｓ１,Ｓ２それぞれに１,−１を乗算する。よって、基地局３００からフィードバックされる応答信号は図２２に示すように、Ｓ１×１,Ｓ２×−１となる。
【０１３１】
移動局１は、時刻ｔ７で上り回線データを再送しているため、基地局３００から時刻ｔ９でフィードバックされた２つの応答信号を自局宛ての応答信号であると判断して受信する。また、移動局１は、時刻ｔ７で上り回線データを再送しているため、これらの応答信号を再送データに対するものであるとしてＳＣ＃２（Ｃ１,Ｃ２）でデスクランブリングする。すなわち、移動局１のデスクランブリング部４０２は、図２３に示すように、Ｐ／Ｓ部４０１から入力される２つの応答信号、すなわち、図２２に示すＳ１×１,Ｓ２×−１を、再送用のスクランブリングコードＳＣ＃２でデスクランブリングする。つまり、移動局１のデスクランブリング部４０２は、２つの応答信号Ｓ１×１,Ｓ２×−１それぞれを１,１で除算する。よって、移動局１のデスクランブリング部４０２では、図２３に示すような信号点配置のＳ１,−Ｓ２が得られる。
【０１３２】
次いで、移動局１の合成部４０３は、デスクランブリング部４０２から入力されるＳ１,−Ｓ２を合成する。よって、合成後の応答信号は、図２３に示すように、（Ｉ,Ｑ）＝（０,０）の信号点に配置される。そして、移動局１の復調部４０４は、この合成後の応答信号を図２４に示す判定軸に従って判定する。よって、移動局１は、基地局３００からの
移動局２宛の応答信号（ＮＡＣＫ信号）をＤＴＸと判定する。また、移動局１は、応答信号がＤＴＸと判定される場合、時刻ｔ６でＡＣＫ信号をＮＡＣＫ信号と誤って判定してしまったと判断する。よって、移動局１は、時刻ｔ１１での上り回線データの再送を行わない。つまり、移動局１は、上り回線データの誤った送信を停止することができる。
【０１３３】
一方、移動局２は、時刻ｔ７で上り回線データを初回送信しているため、基地局から時刻ｔ９でフィードバックされた２つの応答信号を自局宛ての応答信号であると判断して受信する。また、移動局２は、時刻ｔ７で上り回線データを初回送信しているため、これらの応答信号を初回送信データに対するものであるとしてＳＣ＃１（Ｃ１,Ｃ２）でデスクランブリングする。すなわち、移動局２のデスクランブリング部４０２は、図２５に示すように、Ｐ／Ｓ部４０１から入力される２つの応答信号、すなわち、図２２に示すＳ１×１,Ｓ２×−１を、初回送信用のスクランブリングコードＳＣ＃１でデスクランブリングする。つまり、移動局２のデスクランブリング部４０２は、２つの応答信号Ｓ１×１,Ｓ２×−１それぞれを１,−１で除算する。よって、移動局２のデスクランブリング部４０２では、図２５に示すような信号点配置のＳ１,Ｓ２が得られる。
【０１３４】
次いで、移動局２の合成部４０３は、デスクランブリング部４０２から入力されるＳ１,Ｓ２を合成する。よって、合成後の応答信号は、図２５に示すように、基地局３００におけるＮＡＣＫ信号の信号点（図２１）に配置される。そして、移動局２の復調部４０４は、この合成後の応答信号を、移動局１の復調部４０４同様、図２４に示す判定軸に従って判定する。よって、移動局２は、基地局３００からの自局宛の応答信号をＮＡＣＫ信号と判定する。よって、移動局２は、時刻ｔ１１で上り回線データを再送（１回目）する。
【０１３５】
よって、時刻ｔ１２では、移動局１からの上り回線データと移動局２からの上り回線データとの衝突は発生せず、基地局３００ではＣＲＣ＝ＯＫ（誤り無し）となる。
【０１３６】
ＣＲＣ＝ＯＫ（誤り無し）の場合、基地局３００は、時刻ｔ１３で、ＡＣＫ信号をフィードバックする。直近の割当情報の送信時刻ｔ５から４ＴＴＩ経過後にＡＣＫ信号が送信されるため、スクランブリング部３０３は、レピティション部３０２から入力される２つのＡＣＫ信号（Ｓ１,Ｓ２）を再送データに対する応答信号であるとしてＳＣ＃２（Ｃ１,Ｃ２）でスクランブリングする。つまり、スクランブリング部３０３は、２つのＡＣＫ信号Ｓ１,Ｓ２それぞれに１,１を乗算する。よって、基地局３００からフィードバックされる応答信号はＳ１×１,Ｓ２×１となる。
【０１３７】
移動局２は、時刻ｔ１１で上り回線データを再送しているため、基地局３００から時刻ｔ１３でフィードバックされた２つの応答信号を自局宛てのものであると判断して受信する。また、移動局２は、時刻ｔ１１で上り回線データを再送しているため、これらの応答信号を再送データに対するものであるとしてＳＣ＃１（Ｃ１,Ｃ２）でデスクランブリングする。よって、移動局２は、時刻ｔ１３で基地局３００からフィードバックされた応答信号をＡＣＫ信号と認識するため、次回自局宛ての割当情報が送信されるまで上り回線データの送信を停止する。
【０１３８】
このようにして本実施の形態では、応答信号用の１つのチャネルを複数の移動局で共有して使用するＡＲＱにおいて、移動局がＡＣＫ信号をＮＡＣＫ信号と誤って受信することがあったとしても、ＡＲＱの制御の破綻を防ぐことができる。
【０１３９】
なお、レピティション・ファクターが３以上の場合はスクランブリングコードのチップ数をレピティション・ファクターに合わせることにより、上記同様にして本発明を実施可能である。
【０１４０】
また、初回送信用のスクランブリングコードおよび再送用のスクランブリングコードとして用いることができるコードは、互いに完全に直交するコードに限定されない。例えば、初回送信用のスクランブリングコードのすべてのチップを‘１’、再送用のスクランブリングコードのすべてのチップを‘−１’としてもよい。このように、初回送信用のスクランブリングコードおよび再送用のスクランブリングコードとして用いることができるコードは、同一の応答信号を移動局毎に異ならせた内容で認識させることができるコードであればよい。
【０１４１】
また、応答信号としてＡＣＫ信号またはＮＡＣＫ信号のいずれか一方のみを用いる場合、すなわち、ＯＯＫ（On/Off Keying）を用いる場合にも、上記同様にして本発明を実施可能である。例えば、応答信号としてＮＡＣＫ信号のみを用いる場合には、移動局４００は図２６に示す判定軸に従って応答信号を判定すればよい。つまり、移動局１の復調部４０４は、合成後の応答信号を図２６に示す判定軸に従って判定する。よって、移動局１は、基地局３００からの移動局２宛の応答信号（ＮＡＣＫ信号）をＡＣＫ信号と判定することができる。よって、移動局１は、上記同様、時刻ｔ１１での上り回線データの再送を行わず、上り回線データの誤った送信を停止することができる。
【０１４２】
また、上り回線データの再送回数に応じて図２７に示すようにスクランブリングコードを変化させてもよい。すなわち、上記のように初回送信と再送とにおいてスクランブリングコードを異ならせることに加え、複数の再送においてスクランブリングコードを異ならせてもよい。図２７に示す例では、初回送信用のスクランブリングコードをＳＣ＃１＝（１,１,１,１）とし、１回目の再送用のスクランブリングコードをＳＣ＃２＝（１,１,−１,−１）とし、２回目の再送用のスクランブリングコードをＳＣ＃３＝（１,−１,１,−１）とし、３回目の再送用のスクランブリングコードをＳＣ＃４＝（１,−１,−１,１）とした。これにより、例えば図２０において、基地局から時刻ｔ９でフィードバックされた応答信号を移動局１がＮＡＣＫ信号と誤って判定してしまった場合でも、時刻ｔ１３において、時刻ｔ９で用いられたスクランブリングコードと異なるスクランブリングコードを用いることができ、ＡＲＱの制御の破綻を防ぐことができる。
【０１４３】
また、応答信号用のチャネル番号が基地局から移動局へ割当情報を用いて通知される場合でも上記同様にして本発明を実施可能である。また、応答信号用のチャネル番号が、ＲＢ番号と１対１で対応付けられる場合、制御チャネル番号と１対１で対応付けられる場合、または、割当情報がマッピングされるＣＣＥ（Control Channel Elements）の番号と１対１で対応付けられる場合でも上記同様にして本発明を実施可能である。また、応答信号用のチャネルは、ACK/NACKチャネル（ＡＣＫ／ＮＡＣＫ ＣＨ）と称されることがある。例えば、ＣＣＥ番号とＡＣＫ／ＮＡＣＫ ＣＨ番号とが１対１で対応付けられる場合のシーケンス例を図２８（２移動局の場合）および図２９（３移動局の場合）に示す。以下、図２０との相違点のみ説明する。
【０１４４】
図２８において、移動局１からの上り回線データを時刻ｔ４で受信した基地局３００は、時刻ｔ１で移動局１への割当情報をＣＣＥ＃１を用いて送信しているため、時刻ｔ５での応答信号をＣＣＥ＃１に対応付けられたＡＣＫ／ＮＡＣＫ ＣＨ＃１を用いて送信する。また、基地局３００は、移動局２への割当情報をＣＣＥ＃１を用いて送信したため、時刻ｔ９での応答信号および時刻ｔ１３での応答信号をＣＣＥ＃１に対応付けられたＡＣＫ／ＮＡＣＫ ＣＨ＃１を用いて送信する。
【０１４５】
図２８においても図２０と同様に、移動局１は、移動局２宛ての応答信号を受信してＤＴＸと判定することができるため、時刻ｔ６でのＡＣＫ信号をＮＡＣＫ信号と誤って判定してしまったと判断する。よって、移動局１は、時刻ｔ１１での上り回線データの再送を行わない。つまり、移動局１は、上り回線データの誤った送信を停止することができる。
【０１４６】
また、図２９において、移動局１から上り回線データを時刻ｔ４で受信した基地局３００は、時刻ｔ１で移動局１への割当情報をＣＣＥ＃１を用いて送信しているため、時刻ｔ５での応答信号をＣＣＥ＃１に対応付けられたＡＣＫ／ＮＡＣＫ ＣＨ＃１を用いて送信する。また、基地局３００は、移動局２への割当情報をＣＣＥ＃２を用いて送信したため、時刻ｔ９での応答信号および時刻ｔ１３での応答信号をＡＣＫ／ＮＡＣＫ ＣＨ＃２を用いて送信する。また、基地局３００は、移動局３への割当情報をＣＣＥ＃１を用いて送信したため、時刻ｔ９での応答信号をＡＣＫ／ＮＡＣＫ ＣＨ＃１を用いて送信する。
【０１４７】
図２９においても図２０と同様に、移動局１は、移動局３宛ての応答信号を受信してＤＴＸと判定することができるため、時刻ｔ６でのＡＣＫ信号をＮＡＣＫ信号と誤って判定してしまったと判断する。よって、移動局１は、時刻ｔ１１での上り回線データの再送を行わない。つまり、移動局１は、上り回線データの誤った送信を停止することができる。
【０１４８】
以上、本発明の実施の形態について説明した。
【０１４９】
なお、本発明は、上記各実施の形態で示した変調方式以外の変調方式、例えば、ＯＯＫ（On/Off Keying）変調等が使用される通信システムにおいても、上記同様にして実施可能である。
【０１５０】
また、本発明は、Ｑ軸上に信号点が配置されるＢＰＳＫや、ＱＰＳＫのコンスタレーションをＢＰＳＫのコンスタレーションとして用いる変調方式が使用される通信システムにおいても、上記同様にして実施可能である。
【０１５１】
また、上りデータの送信停止を指示するStop信号、および、上りデータの送信再開を指示するRe-Transmit信号を応答信号として用いる場合にも、上記各実施の形態と同様にして本発明を実施可能である。
【０１５２】
また、上記各実施の形態において、応答信号の変調方式としてＱＰＳＫを用いることにより１つのシンボルに２つの応答信号を多重してもよい。
【０１５３】
また、本発明は、ＡＣＫ,ＮＡＣＫ,Ｎｕｌｌの３値の判定を行う通信システムにおいても、上記同様にして実施可能である。このような通信システムにおいては、上記の移動局１は、上記の時刻ｔ９で送信されたＮＡＣＫ信号をＡＣＫ信号またはＮｕｌｌ信号と判定すればよい。
【０１５４】
また、上記各実施の形態において、応答信号を複製（レピティション）することにより応答信号のダイバーシチ効果を得ることができる。
【０１５５】
また、上り回線データの再送中、例えば、１回目の再送と２回目の再送との間に、上り回線のデータチャネルが再割当される場合は、再割当後の最初の再送データに対する応答信号を、初回送信データに対する応答信号のコンスタレーションパターンに従って変調および復調、または、初回送信用のスクランブリングコードでスクランブリングおよびデスクランブリングするとよい。これにより、再割当後の最初の再送データに対する応答信号のコンスタレーションパターン（またはスクランブリングコード）と、ＮＡＣＫ信号に応じた再送データに対する応答信号のコンスタレーションパターン（またはスクランブリングコード）とを異ならせることができる。よって、上り回線のデータチャネルの再割当によって応答信号用のチャネル番号が変化する場合でも、上記各実施形態と同様にしてＡＲＱの制御の破綻を防ぐことができる。
【０１５６】
また、応答信号用のチャネルは、ACK/NACKチャネル，ACK/NAKチャネル，ＨＩＣＨ（Hybrid ARQ Indicator Channel）と称されることがある。
【０１５７】
また、移動局はUE、基地局装置はNode B、サブキャリアはトーンと称されることがある。また、ＣＰは、ガードインターバル（Guard Interval：ＧＩ）と称されることがある。
【０１５８】
また、周波数領域と時間領域との間の変換を行う方法は、ＩＦＦＴ、ＦＦＴに限られない。
【０１５９】
また、誤り検出の方法はＣＲＣに限られない。
【０１６０】
また、上記各実施の形態では下り回線の伝送方式としてＯＦＤＭ方式を一例に挙げたが、本発明において下り回線の伝送方式は特に限定されない。
【０１６１】
また、応答信号は、受信品質を向上させるために、拡散送信、繰り返し送信等される場合がある。この場合にも上記同様にして本発明を実施可能である。
【０１６２】
また、上記実施の形態では、本発明をハードウェアで構成する場合を例にとって説明したが、本発明はソフトウェアで実現することも可能である。
【０１６３】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１６５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６６】
２００７年２月２日出願の特願２００７−０２４６３６、２００７年６月７日出願の特願２００７−１５１６５８および２００７年８月１４日出願の特願２００７−２１１５４６の日本出願に含まれる明細書、図面および要約書の開示内容は、すべて本願に援用される。
【産業上の利用可能性】
【０１６７】
本発明は、移動体通信システム等に適用することができる。
【図面の簡単な説明】
【０１６８】
【図１】ＡＲＱのシーケンス例
【図２】実施の形態１に係る基地局の構成を示すブロック図
【図３】実施の形態１に係る移動局の構成を示すブロック図
【図４】実施の形態１に係るコンスタレーションパターンＡ
【図５】実施の形態１に係るコンスタレーションパターンＢ
【図６】実施の形態１に係るＡＲＱのシーケンス例
【図７】実施の形態１に係るコンスタレーションパターン例
【図８】実施の形態１に係るコンスタレーションパターン例
【図９】実施の形態１に係るコンスタレーションパターン例
【図１０】実施の形態１に係る送信電力制御例
【図１１】実施の形態２に係るＡＲＱのシーケンス例
【図１２】実施の形態２に係るコンスタレーションパターン割当例
【図１３】実施の形態２に係るコンスタレーションパターンＣ
【図１４】実施の形態２に係るコンスタレーションパターンＤ
【図１５】実施の形態２に係るコンスタレーションパターン割当例
【図１６】実施の形態３に係るコンスタレーションパターンＢ'
【図１７】実施の形態３に係るコンスタレーションパターンＢ''
【図１８】実施の形態４に係る基地局の構成を示すブロック図
【図１９】実施の形態４に係る移動局の構成を示すブロック図
【図２０】実施の形態４に係るＡＲＱのシーケンス例
【図２１】実施の形態４に係るコンスタレーションパターン
【図２２】実施の形態４に係るスクランブリング例
【図２３】実施の形態４に係るデスクランブリング例（移動局１）
【図２４】実施の形態４に係る判定例
【図２５】実施の形態４に係るデスクランブリング例（移動局２）
【図２６】実施の形態４に係るその他の判定例
【図２７】実施の形態４に係る再送回数に応じたスクランブリングコード例
【図２８】実施の形態４に係るＡＲＱのその他のシーケンス例（２移動局の場合）
【図２９】実施の形態４に係るＡＲＱのその他のシーケンス例（３移動局の場合）
【手続補正３】
【補正対象書類名】図面
【補正対象項目名】全図
【補正方法】変更
【補正の内容】
【図１】
2008093774.tif 000032
【図２】
2008093774.tif 000033
【図３】
2008093774.tif 000034
【図４】
2008093774.tif 000035
【図５】
2008093774.tif 000036
【図６】
2008093774.tif 000037
【図７】
2008093774.tif 000038
【図８】
2008093774.tif 000039
【図９】
2008093774.tif 000040
【図１０】
2008093774.tif 000041
【図１１】
2008093774.tif 000042
【図１２】
2008093774.tif 000043
【図１３】
2008093774.tif 000044
【図１４】
2008093774.tif 000045
【図１５】
2008093774.tif 000046
【図１６】
2008093774.tif 000047
【図１７】
2008093774.tif 000048
【図１８】
2008093774.tif 000049
【図１９】
2008093774.tif 000050
【図２０】
2008093774.tif 000051
【図２１】
2008093774.tif 000052
【図２２】
2008093774.tif 000053
【図２３】
2008093774.tif 000054
【図２４】
2008093774.tif 000055
【図２５】
2008093774.tif 000056
【図２６】
2008093774.tif 000057
【図２７】
2008093774.tif 000058
【図２８】
2008093774.tif 000059
【図２９】
2008093774.tif 000060
【国際調査報告】
2008093774.tif 000061
2008093774.tif 000062
2008093774.tif 000063
2008093774.tif 000064